(57)【要約】  この出願は、チャネル品質指標CQI又は変調・コーディングスキームMCSを送信するための方法を提供する。方法の一例において、端末デバイスは、変調次数、コードレート、又は、スペクトル効率を取得して、取得された変調次数、コードレート、又は、スペクトル効率に基づいて事前に記憶されたマッピング表から基準CQIのインデックス（又は、基準MCSのインデックス）を選択するとともに、基準CQIのインデックス（又は、基準MCSのインデックス）をネットワークデバイスに報告し、この場合、マッピング表は、CQIインデックス（又は、基準MCSのインデックス）と変調次数、コードレート、又は、スペクトル効率との間のマッピング関係を含む。端末デバイスは、決定された変調次数、コードレート、又は、スペクトル効率に基づいてアップリンク又はダウンリンクデータを処理でき、また、ネットワークデバイスは、マッピング表に基づいて、データを送信するために使用される変調次数、コードレート、又は、スペクトル効率を決定でき、それにより、データ送信の信頼性が向上される。
2021510988.tif 000002
【特許請求の範囲】
【請求項１】
チャネル品質指標CQIを送信するための方法であって、前記方法は、
端末デバイスにより、変調次数、コードレート、又は、スペクトル効率を取得するステップと、
前記端末デバイスにより、前記取得された変調次数、コードレート、又は、スペクトル効率に基づき、事前に記憶されたマッピング表から基準CQIのインデックスを選択するステップであって、前記マッピング表が、CQIインデックスと変調次数、コードレート、又は、スペクトル効率との間のマッピング関係を含む、ステップと、
前記端末デバイスにより、前記基準CQIの前記インデックスをネットワークデバイスに報告するステップと、
を含む方法。
【請求項２】
前記マッピング表中のCQIインデックスは、変調次数2、コードレート30、又は、スペクトル効率0．0586に対応し、実際のコードレートは、前記コードレートの値30を1024で除算することによって取得され、又は、
前記マッピング表中のCQIインデックスは、変調次数2、コードレート50、又は、スペクトル効率0．0977に対応し、実際のコードレートは、前記コードレートの値50を1024で除算することによって取得される、
請求項1に記載の方法。
【請求項３】
前記端末デバイスにより、前記基準CQIの前記インデックスをネットワークデバイスに報告する前記ステップは、
前記端末デバイスにより、4ビットを使用することによって前記基準CQIの前記インデックスを前記ネットワークデバイスに報告することを含む、
請求項1又は2に記載の方法。
【請求項４】
前記方法が超信頼度・低遅延通信URLLCに適用される、請求項1から3のいずれか一項に記載の方法。
【請求項５】
前記マッピング表は、CQIインデックスとコーディングスキームとの間のマッピング関係をさらに記録する、請求項1から4のいずれか一項に記載の方法。
【請求項６】
チャネル品質指標CQIを受信するための方法であって、前記方法は、
端末デバイスにより、ネットワークデバイスから指示情報を受信するステップであって、前記指示情報が目標CQIのインデックスを示すために使用される、ステップと、
前記端末デバイスにより、前記目標CQIの前記インデックスに基づくマッピング表から、前記目標CQIに対応する変調次数、コードレート、又は、スペクトル効率を決定するステップであって、前記マッピング表が、CQIインデックスと変調次数、コードレート、又は、スペクトル効率との間のマッピング関係を含む、ステップと、
前記端末デバイスにより、前記決定された変調次数、コードレート、又は、スペクトル効率に基づいてアップリンク又はダウンリンクデータを処理するステップと、
を含む方法。
【請求項７】
前記マッピング表中のCQIインデックスは、変調次数2、コードレート30、又は、スペクトル効率0．0586に対応し、実際のコードレートは、前記コードレートの値30を1024で除算することによって取得され、又は、
前記マッピング表中のCQIインデックスは、変調次数2、コードレート50、又は、スペクトル効率0．0977に対応し、実際のコードレートは、前記コードレートの値50を1024で除算することによって取得される、
請求項6に記載の方法。
【請求項８】
端末デバイスにより、ネットワークデバイスから指示情報を受信する前記ステップは、
前記端末デバイスにより、4ビットを使用することによって前記ネットワークデバイスから前記目標CQIの前記インデックスを受信することを含む、
請求項6又は7に記載の方法。
【請求項９】
前記方法が超信頼度・低遅延通信URLLCに適用される、請求項6から8のいずれか一項に記載の方法。
【請求項１０】
前記マッピング表は、CQIインデックスとコーディングスキームとの間のマッピング関係をさらに記録する、請求項6から9のいずれか一項に記載の方法。
【請求項１１】
チャネル品質指標CQIを送信するための方法であって、前記方法は、
ネットワークデバイスにより、データを送信するために前記ネットワークデバイスにより使用される又はデータを送信するために端末デバイスにより使用される必要がある変調次数、コードレート、又は、スペクトル効率を決定するステップと、
前記ネットワークデバイスにより、前記決定された変調次数、コードレート、又は、スペクトル効率に基づいて事前に記憶されたマッピング表から目標CQIのインデックスを選択するステップであって、前記マッピング表が、CQIインデックスと変調次数、コードレート、又は、スペクトル効率との間のマッピング関係を含む、ステップと、
前記ネットワークデバイスにより、指示情報を前記端末デバイスに送信するステップであって、前記指示情報が前記目標CQIの前記インデックスを示すために使用される、ステップと、
を含む方法。
【請求項１２】
前記マッピング表中のCQIインデックスは、変調次数2、コードレート30、又は、スペクトル効率0．0586に対応し、実際のコードレートは、前記コードレートの値30を1024で除算することによって取得され、又は、
前記マッピング表中のCQIインデックスは、変調次数2、コードレート50、又は、スペクトル効率0．0977に対応し、実際のコードレートは、前記コードレートの値50を1024で除算することによって取得される、
請求項11に記載の方法。
【請求項１３】
前記ネットワークデバイスによって指示情報を送信する前記ステップは、前記ネットワークデバイスにより、4ビットを使用することによって前記目標CQIの前記インデックスを送信することを含む、請求項11又は12に記載の方法。
【請求項１４】
前記方法が超信頼度・低遅延通信URLLCに適用される、請求項11から13のいずれか一項に記載の方法。
【請求項１５】
ネットワークデバイスにより、データを送信するために前記ネットワークデバイスにより使用される又はデータを送信するために端末デバイスにより使用される必要がある変調次数、コードレート、又は、スペクトル効率を決定する前記ステップは、
ネットワークリソース状態に基づいて前記ネットワークデバイスにより、データを送信するために前記ネットワークデバイスにより使用される又はデータを送信するために前記端末デバイスにより使用される必要がある前記変調次数、前記コードレート、又は、前記スペクトル効率を決定すること、又は、
前記端末デバイスにより報告される基準CQIのインデックスに関連して前記マッピング表から前記ネットワークデバイスにより、前記基準CQIに対応する変調次数、コードレート、又は、スペクトル効率を決定すること、
を含む請求項11から14のいずれか一項に記載の方法。
【請求項１６】
前記マッピング表は、CQIとコーディングスキームとの間のマッピング関係をさらに記録する、請求項11から15のいずれか一項に記載の方法。
【請求項１７】
チャネル品質指標CQIを送信するための端末デバイスであって、前記端末デバイスは、
変調次数、コードレート、又は、スペクトル効率を取得するように構成される処理ユニットであって、前記処理ユニットが、前記取得された変調次数、コードレート、又は、スペクトル効率に基づき、事前に記憶されたマッピング表から基準CQIのインデックスを選択するようにさらに構成され、前記マッピング表が、CQIインデックスと変調次数、コードレート、又は、スペクトル効率との間のマッピング関係を含む、処理ユニットと、
前記基準CQIの前記インデックスをネットワークデバイスに報告するように構成されるトランシーバユニットと、
を備える端末デバイス。
【請求項１８】
前記マッピング表中のCQIインデックスは、変調次数2、コードレート30、又は、スペクトル効率0．0586に対応し、実際のコードレートは、前記コードレートの値30を1024で除算することによって取得され、又は、
前記マッピング表中のCQIインデックスは、変調次数2、コードレート50、又は、スペクトル効率0．0977に対応し、実際のコードレートは、前記コードレートの値50を1024で除算することによって取得される、
請求項17に記載の端末デバイス。
【請求項１９】
前記トランシーバユニットは、4ビットを使用することによって前記基準CQIの前記インデックスを前記ネットワークデバイスに報告するように構成される、請求項17又は18に記載の端末デバイス。
【請求項２０】
前記端末デバイスが超信頼度・低遅延通信URLLCに適用される、請求項17から19のいずれか一項に記載の端末デバイス。
【請求項２１】
前記マッピング表は、CQIインデックスとコーディングスキームとの間のマッピング関係をさらに記録する、請求項17から20のいずれか一項に記載の端末デバイス。
【請求項２２】
チャネル品質指標CQIを受信するための端末デバイスであって、前記端末デバイスは、
ネットワークデバイスから指示情報を受信するように構成されるトランシーバユニットであって、前記指示情報が目標CQIのインデックスを示すために使用される、トランシーバユニットと、
前記目標CQIの前記インデックスに基づくマッピング表から、前記目標CQIに対応する変調次数、コードレート、又は、スペクトル効率を決定するように構成される処理ユニットであって、前記マッピング表が、CQIインデックスと変調次数、コードレート、又は、スペクトル効率との間のマッピング関係を含む、処理ユニットと、
を備え、
前記処理ユニットは、前記決定された変調次数、コードレート、又は、スペクトル効率に基づいてアップリンク又はダウンリンクデータを処理するようにさらに構成される、
端末デバイス。
【請求項２３】
前記マッピング表中のCQIインデックスは、変調次数2、コードレート30、又は、スペクトル効率0．0586に対応し、実際のコードレートは、前記コードレートの値30を1024で除算することによって取得され、又は、
前記マッピング表中のCQIインデックスは、変調次数2、コードレート50、又は、スペクトル効率0．0977に対応し、実際のコードレートは、前記コードレートの値50を1024で除算することによって取得される、
請求項22に記載の端末デバイス。
【請求項２４】
前記トランシーバユニットがネットワークデバイスから指示情報を受信することは、
前記トランシーバユニットが4ビットを使用することによって前記ネットワークデバイスから前記目標CQIの前記インデックスを受信することを含む、
請求項22又は23に記載の端末デバイス。
【請求項２５】
前記端末デバイスが超信頼度・低遅延通信URLLCに適用される、請求項22から24のいずれか一項に記載の端末デバイス。
【請求項２６】
前記マッピング表は、CQIインデックスとコーディングスキームとの間のマッピング関係をさらに記録する、請求項22から25のいずれか一項に記載の端末デバイス。
【請求項２７】
チャネル品質指標CQIを送信するためのネットワークデバイスであって、
データを送信するために前記ネットワークデバイスにより使用される又はデータを送信するために端末デバイスにより使用される必要がある変調次数、コードレート、又は、スペクトル効率を決定するように構成される処理ユニットであって、前記処理ユニットが、前記決定された変調次数、コードレート、又は、スペクトル効率に基づいて事前に記憶されたマッピング表から目標CQIのインデックスを選択するようにさらに構成され、前記マッピング表が、CQIインデックスと変調次数、コードレート、又は、スペクトル効率との間のマッピング関係を含む、処理ユニットと、
指示情報を前記端末デバイスに送信するように構成されるトランシーバユニットであって、前記指示情報が前記目標CQIの前記インデックスを示すために使用される、トランシーバユニットと、
を備えるネットワークデバイス。
【請求項２８】
前記マッピング表中のCQIインデックスは、変調次数2、コードレート30、又は、スペクトル効率0．0586に対応し、実際のコードレートは、前記コードレートの値30を1024で除算することによって取得される、又は、
前記マッピング表中のCQIインデックスは、変調次数2、コードレート50、又は、スペクトル効率0．0977に対応し、実際のコードレートは、前記コードレートの値50を1024で除算することによって取得される、
請求項27に記載のネットワークデバイス。
【請求項２９】
前記トランシーバユニットは、4ビットを使用することによって前記目標CQIの前記インデックスを送信するように構成される、請求項27又は28に記載のネットワークデバイス。
【請求項３０】
前記ネットワークデバイスが超信頼度・低遅延通信URLLCに適用される、請求項27から29のいずれか一項に記載のネットワークデバイス。
【請求項３１】
前記処理ユニットは、ネットワークリソース状態に基づいて、データを送信するために前記ネットワークデバイスにより使用される又はデータを送信するために前記端末デバイスにより使用される必要がある前記変調次数、前記コードレート、又は、前記スペクトル効率を決定するように構成され、又は、前記処理ユニットは、前記端末デバイスによって報告される基準CQIのインデックスに関連して前記マッピング表から、前記基準CQIに対応する変調次数、コードレート、又は、スペクトル効率を決定する、請求項27から30のいずれか一項に記載のネットワークデバイス。
【請求項３２】
前記マッピング表は、CQIとコーディングスキームとの間のマッピング関係をさらに記録する、請求項27から31のいずれか一項に記載のネットワークデバイス。
【請求項３３】
変調・コーディングスキームMCSを送信するための方法であって、前記方法は、
端末デバイスにより、変調次数、コードレート、又は、スペクトル効率を取得するステップと、
前記端末デバイスにより、前記取得された変調次数、コードレート、又は、スペクトル効率に基づき、事前に記憶されたマッピング表から基準MCSのインデックスを選択するステップであって、前記マッピング表が、MCSインデックスと変調次数、コードレート、又は、スペクトル効率との間のマッピング関係を含む、ステップと、
前記端末デバイスにより、前記基準MCSの前記インデックスをネットワークデバイスに報告するステップと、
を含む方法。
【請求項３４】
前記マッピング表中のMCSインデックスは、変調次数2、コードレート30、又は、スペクトル効率0．0586に対応し、実際のコードレートは、前記マッピング表中の前記コードレートの値30を1024で除算することによって取得され、又は、
前記マッピング表中のMCSインデックスは、変調次数2、コードレート50、又は、スペクトル効率0．0977に対応し、実際のコードレートは、前記マッピング表中の前記コードレートの値50を1024で除算することによって取得され、又は、
前記マッピング表中のMCSインデックスは、変調次数2、コードレート40、又は、スペクトル効率0．0781に対応し、実際のコードレートは、前記マッピング表中の前記コードレートの値40を1024で除算することによって取得され、又は、
前記マッピング表中のMCSインデックスは、変調次数2、コードレート64、又は、スペクトル効率0．1250に対応し、実際のコードレートは、前記マッピング表中の前記コードレートの値64を1024で除算することによって取得される、
請求項33に記載の方法。
【請求項３５】
前記方法が超信頼度・低遅延通信URLLCに適用される、請求項33又は34に記載の方法。
【請求項３６】
前記マッピング表は、MCSインデックスとコーディングスキームとの間のマッピング関係をさらに記録する、請求項33から35のいずれか一項に記載の方法。
【請求項３７】
変調・コーディングスキームMCSを受信するための方法であって、前記方法は、
端末デバイスにより、ネットワークデバイスから指示情報を受信するステップであって、前記指示情報が目標MCSのインデックスを示すために使用される、ステップと、
前記端末デバイスにより、前記目標MCSの前記インデックスに基づくマッピング表から、前記目標MCSに対応する変調次数、コードレート、又は、スペクトル効率を決定するステップであって、前記マッピング表が、MCSインデックスと変調次数、コードレート、又は、スペクトル効率との間のマッピング関係を含む、ステップと、
前記端末デバイスにより、前記決定された変調次数、コードレート、又は、スペクトル効率に基づいてアップリンク又はダウンリンクデータを処理するステップと、
を含む方法。
【請求項３８】
前記マッピング表中のMCSインデックスは、変調次数2、コードレート30、又は、スペクトル効率0．0586に対応し、実際のコードレートは、前記マッピング表中の前記コードレートの値30を1024で除算することによって取得され、又は、
前記マッピング表中のMCSインデックスは、変調次数2、コードレート50、又は、スペクトル効率0．0977に対応し、実際のコードレートは、前記マッピング表中の前記コードレートの値50を1024で除算することによって取得され、又は、
前記マッピング表中のMCSインデックスは、変調次数2、コードレート40、又は、スペクトル効率0．0781に対応し、実際のコードレートは、前記マッピング表中の前記コードレートの値40を1024で除算することによって取得され、又は、
前記マッピング表中のMCSインデックスは、変調次数2、コードレート64、又は、スペクトル効率0．1250に対応し、実際のコードレートは、前記マッピング表中の前記コードレートの値64を1024で除算することによって取得される、
請求項37に記載の方法。
【請求項３９】
前記方法が超信頼度・低遅延通信URLLCに適用される、請求項37又は38に記載の方法。
【請求項４０】
前記マッピング表は、MCSインデックスとコーディングスキームとの間のマッピング関係をさらに記録する、請求項37から39のいずれか一項に記載の方法。
【請求項４１】
変調・コーディングスキームMCSを送信するための方法であって、前記方法は、
ネットワークデバイスにより、データを送信するために前記ネットワークデバイスにより使用される又はデータを送信するために端末デバイスにより使用される必要がある変調次数、コードレート、又は、スペクトル効率を決定するステップと、
前記ネットワークデバイスにより、前記決定された変調次数、コードレート、又は、スペクトル効率に基づいて事前に記憶されたマッピング表から目標MCSのインデックスを選択するステップであって、前記マッピング表が、MCSインデックスと変調次数、コードレート、又は、スペクトル効率との間のマッピング関係を含む、ステップと、
前記ネットワークデバイスにより、指示情報を前記端末デバイスに送信するステップであって、前記指示情報が前記目標MCSの前記インデックスを示すために使用される、ステップと、
を含む方法。
【請求項４２】
前記マッピング表中のMCSインデックスは、変調次数2、コードレート30、又は、スペクトル効率0．0586に対応し、実際のコードレートは、前記マッピング表中の前記コードレートの値30を1024で除算することによって取得され、又は、
前記マッピング表中のMCSインデックスは、変調次数2、コードレート50、又は、スペクトル効率0．0977に対応し、実際のコードレートは、前記マッピング表中の前記コードレートの値50を1024で除算することによって取得され、又は、
前記マッピング表中のMCSインデックスは、変調次数2、コードレート40、又は、スペクトル効率0．0781に対応し、実際のコードレートは、前記マッピング表中の前記コードレートの値40を1024で除算することによって取得され、又は、
前記マッピング表中のMCSインデックスは、変調次数2、コードレート64、又は、スペクトル効率0．1250に対応し、実際のコードレートは、前記マッピング表中の前記コードレートの値64を1024で除算することによって取得される、
請求項41に記載の方法。
【請求項４３】
前記方法が超信頼度・低遅延通信URLLCに適用される、請求項41又は42に記載の方法。
【請求項４４】
ネットワークデバイスにより、データを送信するために前記ネットワークデバイスにより使用される又はデータを送信するために端末デバイスにより使用される必要がある変調次数、コードレート、又は、スペクトル効率を決定する前記ステップは、
ネットワークリソース状態に基づいて前記ネットワークデバイスにより、データを送信するために前記ネットワークデバイスにより使用される又はデータを送信するために前記端末デバイスにより使用される必要がある前記変調次数、前記コードレート、又は、前記スペクトル効率を決定すること、又は、
前記端末デバイスにより報告される基準MCSのインデックスに関連して前記マッピング表から前記ネットワークデバイスにより、前記基準MCSに対応する変調次数、コードレート、又は、スペクトル効率を決定すること、
を含む請求項41から43のいずれか一項に記載の方法。
【請求項４５】
前記マッピング表は、MCSインデックスとコーディングスキームとの間のマッピング関係をさらに記録する、請求項41から44のいずれか一項に記載の方法。
【請求項４６】
変調・コーディングスキームMCSを送信するための端末デバイスであって、前記端末デバイスは、
変調次数、コードレート、又は、スペクトル効率を取得するように構成される処理ユニットであって、前記処理ユニットが、前記取得された変調次数、コードレート、又は、スペクトル効率に基づき、事前に記憶されたマッピング表から基準MCSのインデックスを選択するようにさらに構成され、前記マッピング表が、MCSインデックスと変調次数、コードレート、又は、スペクトル効率との間のマッピング関係を含む、処理ユニットと、
前記基準MCSの前記インデックスをネットワークデバイスに報告するように構成されるトランシーバユニットと、
を備える端末デバイス。
【請求項４７】
前記マッピング表中のMCSインデックスは、変調次数2、コードレート30、又は、スペクトル効率0．0586に対応し、実際のコードレートは、前記マッピング表中の前記コードレートの値30を1024で除算することによって取得され、又は、
前記マッピング表中のMCSインデックスは、変調次数2、コードレート50、又は、スペクトル効率0．0977に対応し、実際のコードレートは、前記マッピング表中の前記コードレートの値50を1024で除算することによって取得され、又は、
前記マッピング表中のMCSインデックスは、変調次数2、コードレート40、又は、スペクトル効率0．0781に対応し、実際のコードレートは、前記マッピング表中の前記コードレートの値40を1024で除算することによって取得され、又は、
前記マッピング表中のMCSインデックスは、変調次数2、コードレート64、又は、スペクトル効率0．1250に対応し、実際のコードレートは、前記マッピング表中の前記コードレートの値64を1024で除算することによって取得される、
請求項46に記載の端末デバイス。
【請求項４８】
前記端末デバイスが超信頼度・低遅延通信URLLCに適用される、請求項46又は47に記載の端末デバイス。
【請求項４９】
前記マッピング表は、MCSインデックスとコーディングスキームとの間のマッピング関係をさらに記録する、請求項46から48のいずれか一項に記載の端末デバイス。
【請求項５０】
変調・コーディングスキームMCSを受信するための端末デバイスであって、前記端末デバイスは、
ネットワークデバイスから指示情報を受信するように構成されるトランシーバユニットであって、前記指示情報が目標MCSのインデックスを示すために使用される、トランシーバユニットと、
前記目標MCSの前記インデックスに基づくマッピング表から、前記目標MCSに対応する変調次数、コードレート、又は、スペクトル効率を決定するように構成される処理ユニットであって、前記マッピング表が、MCSインデックスと変調次数、コードレート、又は、スペクトル効率との間のマッピング関係を含む、処理ユニットと、
を備え、
前記処理ユニットは、前記決定された変調次数、コードレート、又は、スペクトル効率に基づいてアップリンク又はダウンリンクデータを処理するようにさらに構成される、
端末デバイス。
【請求項５１】
前記マッピング表中のMCSインデックスは、変調次数2、コードレート30、又は、スペクトル効率0．0586に対応し、実際のコードレートは、前記マッピング表中の前記コードレートの値30を1024で除算することによって取得される、又は、
前記マッピング表中のMCSインデックスは、変調次数2、コードレート50、又は、スペクトル効率0．0977に対応し、実際のコードレートは、前記マッピング表中の前記コードレートの値50を1024で除算することによって取得される、又は、
前記マッピング表中のMCSインデックスは、変調次数2、コードレート40、又は、スペクトル効率0．0781に対応し、実際のコードレートは、前記マッピング表中の前記コードレートの値40を1024で除算することによって取得される、又は、
前記マッピング表中のMCSインデックスは、変調次数2、コードレート64、又は、スペクトル効率0．1250に対応し、実際のコードレートは、前記マッピング表中の前記コードレートの値64を1024で除算することによって取得される、
請求項50に記載の端末デバイス。
【請求項５２】
前記端末デバイスが超信頼度・低遅延通信URLLCに適用される、請求項50又は51に記載の端末デバイス。
【請求項５３】
前記マッピング表は、MCSインデックスとコーディングスキームとの間のマッピング関係をさらに記録する、請求項50から52のいずれか一項に記載の端末デバイス。
【請求項５４】
変調・コーディングスキームMCSを送信するためのネットワークデバイスであって、
データを送信するために前記ネットワークデバイスにより使用される又はデータを送信するために端末デバイスにより使用される必要がある変調次数、コードレート、又は、スペクトル効率を決定するように構成される処理ユニットであって、前記処理ユニットが、前記決定された変調次数、コードレート、又は、スペクトル効率に基づいて事前に記憶されたマッピング表から目標MCSのインデックスを選択するようにさらに構成され、前記マッピング表が、MCSインデックスと変調次数、コードレート、又は、スペクトル効率との間のマッピング関係を含む、処理ユニットと、
指示情報を前記端末デバイスに送信するように構成されるトランシーバユニットであって、前記指示情報が前記目標MCSの前記インデックスを示すために使用される、トランシーバユニットと、
を備えるネットワークデバイス。
【請求項５５】
前記マッピング表中のMCSインデックスは、変調次数2、コードレート30、又は、スペクトル効率0．0586に対応し、実際のコードレートは、前記マッピング表中の前記コードレートの値30を1024で除算することによって取得される、又は、
前記マッピング表中のMCSインデックスは、変調次数2、コードレート50、又は、スペクトル効率0．0977に対応し、実際のコードレートは、前記マッピング表中の前記コードレートの値50を1024で除算することによって取得される、又は、
前記マッピング表中のMCSインデックスは、変調次数2、コードレート40、又は、スペクトル効率0．0781に対応し、実際のコードレートは、前記マッピング表中の前記コードレートの値40を1024で除算することによって取得される、又は、
前記マッピング表中のMCSインデックスは、変調次数2、コードレート64、又は、スペクトル効率0．1250に対応し、実際のコードレートは、前記マッピング表中の前記コードレートの値64を1024で除算することによって取得される、
請求項54に記載のネットワークデバイス。
【請求項５６】
前記ネットワークデバイスが超信頼度・低遅延通信に適用される、請求項54又は55に記載のネットワークデバイス。
【請求項５７】
前記処理ユニットは、ネットワークリソース状態に基づいて、データを送信するために前記ネットワークデバイスにより使用される又はデータを送信するために前記端末デバイスにより使用される必要がある前記変調次数、前記コードレート、又は、前記スペクトル効率を決定するように構成され、又は、前記処理ユニットは、前記端末デバイスによって報告される基準MCSのインデックスに関連して前記マッピング表から、前記基準MCSに対応する変調次数、コードレート、又は、スペクトル効率を決定する、請求項54から56のいずれか一項に記載のネットワークデバイス。
【請求項５８】
前記マッピング表は、MCSインデックスとコーディングスキームとの間のマッピング関係をさらに記録する、請求項54から57のいずれか一項に記載のネットワークデバイス。
【請求項５９】
コンピュータ可読記憶媒体であって、
前記コンピュータ可読記憶媒体がコンピュータ命令を記憶し、前記コンピュータ命令がコンピュータ上で実行されるときに、前記コンピュータが請求項1から5のいずれか一項に記載の方法を実行し、又は、
前記コンピュータ可読記憶媒体がコンピュータ命令を記憶し、前記コンピュータ命令がコンピュータ上で実行されるときに、前記コンピュータが請求項6から10のいずれか一項に記載の方法を実行し、又は、
前記コンピュータ可読記憶媒体がコンピュータ命令を記憶し、前記コンピュータ命令がコンピュータ上で実行されるときに、前記コンピュータが請求項11から16のいずれか一項に記載の方法を実行し、又は、
前記コンピュータ可読記憶媒体がコンピュータ命令を記憶し、前記コンピュータ命令がコンピュータ上で実行されるときに、前記コンピュータが請求項33から36のいずれか一項に記載の方法を実行し、又は、
前記コンピュータ可読記憶媒体がコンピュータ命令を記憶し、前記コンピュータ命令がコンピュータ上で実行されるときに、前記コンピュータが請求項37から40のいずれか一項に記載の方法を実行し、又は、
前記コンピュータ可読記憶媒体がコンピュータ命令を格納し、前記コンピュータ命令がコンピュータ上で実行されるときに、前記コンピュータが請求項41から45のいずれか一項に記載の方法を実行する、
コンピュータ可読記憶媒体。
【請求項６０】
1つ以上のメモリと1つ以上のプロセッサとを備える通信デバイスであって、
前記メモリがコンピュータプログラムを記憶するように構成され、前記プロセッサは、前記メモリから前記コンピュータプログラムを呼び出して前記コンピュータプログラムを実行するように構成され、それにより、前記通信デバイスが請求項1から5のいずれか一項に記載の方法を実行し、又は、
前記メモリがコンピュータプログラムを記憶するように構成され、前記プロセッサは、前記メモリから前記コンピュータプログラムを呼び出して前記コンピュータプログラムを実行するように構成され、それにより、前記通信デバイスが請求項6から10のいずれか一項に記載の方法を実行し、又は、
前記メモリがコンピュータプログラムを記憶するように構成され、前記プロセッサは、前記メモリから前記コンピュータプログラムを呼び出して前記コンピュータプログラムを実行するように構成され、それにより、前記通信デバイスが請求項11から16のいずれか一項に記載の方法を実行し、又は、
前記メモリがコンピュータプログラムを記憶するように構成され、前記プロセッサは、前記メモリから前記コンピュータプログラムを呼び出して前記コンピュータプログラムを実行するように構成され、それにより、前記通信デバイスが請求項33から36のいずれか一項に記載の方法を実行し、又は、
前記メモリがコンピュータプログラムを記憶するように構成され、前記プロセッサは、前記メモリから前記コンピュータプログラムを呼び出して前記コンピュータプログラムを実行するように構成され、それにより、前記通信デバイスが請求項37から40のいずれか一項に記載の方法を実行し、又は、
前記メモリがコンピュータプログラムを記憶するように構成され、前記プロセッサは、前記メモリから前記コンピュータプログラムを呼び出して前記コンピュータプログラムを実行するように構成され、それにより、前記通信デバイスが請求項41から45のいずれか一項に記載の方法を実行する、
通信デバイス。
【請求項６１】
メモリとプロセッサとを備えるチップであって、
前記メモリがコンピュータプログラムを記憶するように構成され、前記プロセッサは、前記メモリから前記コンピュータプログラムを呼び出して前記コンピュータプログラムを実行するように構成され、それにより、前記チップが組み込まれる通信デバイスが請求項1から5のいずれか一項に記載の方法を実行し、又は、
前記メモリがコンピュータプログラムを記憶するように構成され、前記プロセッサは、前記メモリから前記コンピュータプログラムを呼び出して前記コンピュータプログラムを実行するように構成され、それにより、前記チップが組み込まれる通信デバイスが請求項6から10のいずれか一項に記載の方法を実行し、又は、
前記メモリがコンピュータプログラムを記憶するように構成され、前記プロセッサは、前記メモリから前記コンピュータプログラムを呼び出して前記コンピュータプログラムを実行するように構成され、それにより、前記チップが組み込まれる通信デバイスが請求項11から16のいずれか一項に記載の方法を実行し、又は、
前記メモリがコンピュータプログラムを記憶するように構成され、前記プロセッサは、前記メモリから前記コンピュータプログラムを呼び出して前記コンピュータプログラムを実行するように構成され、それにより、前記チップが組み込まれる通信デバイスが請求項33から36のいずれか一項に記載の方法を実行し、又は、
前記メモリがコンピュータプログラムを記憶するように構成され、前記プロセッサは、前記メモリから前記コンピュータプログラムを呼び出して前記コンピュータプログラムを実行するように構成され、それにより、前記チップが組み込まれる通信デバイスが請求項37から40のいずれか一項に記載の方法を実行し、又は、
前記メモリがコンピュータプログラムを記憶するように構成され、前記プロセッサは、前記メモリから前記コンピュータプログラムを呼び出して前記コンピュータプログラムを実行するように構成され、それにより、前記チップが組み込まれる通信デバイスが請求項41から45のいずれか一項に記載の方法を実行する、
チップ。
【請求項６２】
前記メモリが前記プロセッサと一体化される、請求項61に記載のチップ。
【請求項６３】
コンピュータプログラムプロダクトであって、
前記コンピュータプログラムプロダクトがコンピュータプログラムコードを含み、前記コンピュータプログラムコードがコンピュータ上で実行されるときに、前記コンピュータが請求項1から5のいずれか一項に記載の方法を実行し、又は、
前記コンピュータプログラムプロダクトがコンピュータプログラムコードを含み、前記コンピュータプログラムコードがコンピュータ上で実行されるときに、前記コンピュータが請求項6から10のいずれか一項に記載の方法を実行し、又は、
前記コンピュータプログラムプロダクトがコンピュータプログラムコードを含み、前記コンピュータプログラムコードがコンピュータ上で実行されるときに、前記コンピュータが請求項11から16のいずれか一項に記載の方法を実行し、又は、
前記コンピュータプログラムプロダクトがコンピュータプログラムコードを含み、前記コンピュータプログラムコードがコンピュータ上で実行されるときに、前記コンピュータが請求項33から36のいずれか一項に記載の方法を実行し、又は、
前記コンピュータプログラムプロダクトがコンピュータプログラムコードを含み、前記コンピュータプログラムコードがコンピュータ上で実行されるときに、前記コンピュータが請求項37から40のいずれか一項に記載の方法を実行し、又は、
前記コンピュータプログラムプロダクトがコンピュータプログラムコードを含み、前記コンピュータプログラムコードがコンピュータ上で実行されるときに、前記コンピュータが請求項41から45のいずれか一項に記載の方法を実行する、
コンピュータプログラムプロダクト。
【発明の詳細な説明】
【技術分野】
【０００１】
この出願は、通信技術の分野に関し、より具体的には、データ送信方法及び装置に関する。
【背景技術】
【０００２】
ロング・ターム・エボリューション（Long Term Evolution、LTE）システムにおいて、基地局は、ダウンリンクデータを端末デバイスに送信する前にチャネル品質を知らない。無線通信システムが継続的に進化するにつれて、ますます高いデータ送信の信頼性が求められる。例えば、第5世代のモバイル通信技術（5Gとも称される）では、超信頼度・低遅延通信（Ultra−reliable and low latency communications，URLLC）シナリオにおいて、超信頼度データ送信が求められ、また、幾つかのアプリケーションシナリオでは、ブロックエラー率レートを1e−9未満にする必要さえある。基地局がチャネル品質を全く知らずにダウンリンクデータを送信する際に送信の信頼性を確保することが難しいことは容易に理解できる。
【０００３】
現在のところ、業界では、将来の通信システムにおいてデータ送信の信頼性の高い要件を満たす実現可能な解決策がない。
【発明の概要】
【課題を解決するための手段】
【０００４】
この出願は、データ送信の信頼性を向上させるためのデータ送信方法を提供する。
【０００５】
第1の態様によれば、この出願はデータ送信方法を提供し、この場合、方法は、端末デバイスにより、変調次数、コードレート、又は、スペクトル効率を取得するステップと、端末デバイスにより、取得された変調次数、コードレート、又は、スペクトル効率に基づいて事前に記憶されたマッピング表から基準チャネル品質指標CQIのインデックスを選択するステップであって、マッピング表が、CQIインデックスと変調次数、コードレート、又は、スペクトル効率との間のマッピング関係を含む、ステップと、端末デバイスにより、第1の指示情報をネットワークデバイスに送信するステップであって、第1の指示情報が基準CQIのインデックスを示すために使用される、ステップと、端末デバイスにより、ネットワークデバイスから第2の指示情報を受信するステップであって、第2の指示情報が目標チャネル品質指標CQIのインデックスを示すために使用される、ステップと、目標CQIのインデックスに基づいてマッピング表から端末デバイスにより、目標CQIに対応する変調次数、コードレート、及び、コーディングスキームのうちの少なくとも1つを決定するステップとを含む。
【０００６】
この出願のこの実施形態において、端末デバイス及びネットワークデバイスは、CQIインデックスと変調次数、コードレート、及び／又は、スペクトル効率との間のマッピング関係を少なくとも記録するマッピング表を事前に記憶する。CQIインデックスは、チャネル品質が定量化された後に取得されるシーケンス番号であり、したがって、各CQIインデックスがチャネル品質を反映し得る。端末デバイスは、最初にチャネル品質を測定して、事前に記憶されたマッピング表から現在のチャネル品質を反映するCQIインデックスを選択するとともに、CQIインデックスをネットワークデバイスにフィードバックする。このようにして、端末デバイスによってフィードバックされた基準CQIのインデックスに関連して、及び、現在のネットワークリソース状態に関連して、ネットワークデバイスは、ダウンリンクデータを送信するために使用されるリソース割り当て及び変調態様、コーディングスキームなどを決定するとともに、最終的に選択された目標CQIのインデックスを端末デバイスに戻す。その後、ネットワークデバイスは、目標CQIのインデックスに対応するコードレート、変調次数、コーディングスキームなどを使用することによって端末デバイスにデータを送信でき、それにより、データ送信の信頼性が向上される。
【０００７】
さらにさらに、端末デバイスによってチャネル品質を測定するプロセスが、従来技術にしたがって実施されてもよく、本明細書中では詳細に説明されない。
【０００８】
第1の態様に関連して、第1の態様の幾つかの実施では、マッピング表が、CQIインデックスとコーディングスキームとの間のマッピング関係をさらに記録する。
【０００９】
コーディングスキームは、データチャネルをコーディングするために使用されるコードである。随意的に、この出願のこの実施形態におけるコーディングスキームは、ポーラーコード（Polar code）、LDPC BG2、及び、LDPC BG1を含んでもよい。具体的には、LDPC BG2は、ベースグラフBG2に基づいて取得されるLDPCコードを表わす。LDPC BG1は、ベースグラフBG1に基づいて取得されるLDPCコードを表わす。
【００１０】
第2の態様によれば、この出願はデータ送信方法を提供し、この場合、方法は、ネットワークデバイスにより、データを送信するために使用される必要がある変調次数、コードレート、又は、スペクトル効率を決定するステップと、ネットワークデバイスにより、決定された変調次数、コードレート、又は、スペクトル効率に基づいて事前に記憶されたマッピング表から目標CQIのインデックスを選択するステップであって、マッピング表が、CQIインデックスと変調次数、コードレート、又は、スペクトル効率との間のマッピング関係を含む、ステップと、ネットワークデバイスにより、第2の指示情報を送信するステップであって、第2の指示情報が目標CQIのインデックスを示すために使用される、ステップとを含む。
【００１１】
第2の態様に関連して、第2の態様の幾つかの実施では、データを送信するステップが、アップリンクデータを送信すること又はダウンリンクデータを送信することである。
【００１２】
第2の態様に関連して、第2の態様の幾つかの実施では、マッピング表が、CQIインデックスとコーディングスキームとの間のマッピング関係をさらに含む。
【００１３】
第2の態様に関連して、第2の態様の幾つかの実施では、データを送信するために使用される必要がある変調次数、コードレート、又は、スペクトル効率が、基準CQIのインデックスに基づいてネットワークデバイスによって決定される。
【００１４】
さらに、第2の態様の幾つかの実施における、方法は、ネットワークデバイスにより、端末デバイスから第1の指示情報を受信するステップであって、第1の指示情報が基準CQIのインデックスを示すために使用される、ステップをさらに含む。
【００１５】
幾つかの実施では、マッピング表中のCQIインデックスと変調次数、コードレート、又は、スペクトル効率との間の任意のマッピング関係が表A又は表Bに示されるマッピング関係を満たすことは、第1の態様及び第2の態様の両方のデータ送信方法に適用可能である。
【００１６】
【表Ａ】
2021510988.tif 000003
【００１７】
【表Ｂ】
2021510988.tif 000004
【００１８】
幾つかの実施では、マッピング表中のCQIインデックスと変調次数、コードレート、スペクトル効率、又は、コーディングスキームとの間の任意のマッピング関係が表C〜表Fのいずれか1つに示されるマッピング関係を満たすことは、第1の態様及び第2の態様の両方のデータ送信方法に適用可能である。
【００１９】
【表Ｃ】
2021510988.tif 000005
【００２０】
【表Ｄ】
2021510988.tif 000006
【００２１】
【表Ｅ】
2021510988.tif 000007
【００２２】
【表Ｆ】
2021510988.tif 000008
【００２３】
この出願のこの実施形態で与えられる各表において1024で割ったコードレートが実際のコードレートであることに留意すべきである。
【００２４】
さらに、この出願のこの実施形態において設計される複数のマッピング表は、異なる信頼性要件に適用されてもよい。単純で実現可能な解決策が、異なるブロック誤り率BLER要件を伴う複数のシナリオに関して与えられる。
【００２５】
幾つかの実施では、マッピング表中の変調次数の第1の値セットがコーディングスキームにおける第1のコーディングスキームに対応し、変調次数の第2の値セットがコーディングスキームにおける第2のコーディングスキームに対応し、第1の値セット及び第2の値セットが変調次数の少なくとも1つの値を含むことが、第1の態様及び第2の態様のデータ送信方法の両方に適用可能である。
【００２６】
この実施では、コーディングスキームと変調次数の値との間にマッピング関係が存在し得る。例えば、変調次数の値が2及び4に等しいときには、コーディングスキームがLDPC BG2を使用し、変調次数が6に等しいときには、コーディングスキームがLDPC BG1を使用する。他の例の場合、変調次数の値が2に等しいときには、コーディングスキームがポーラーコードを使用し、変調次数の値が4及び6に等しいときには、コーディングスキームがLDPC BG2を使用する。確かに、ここでは1つずつ列挙されない他のマッピング関係が存在し得る。
【００２７】
本明細書中における第1のコーディングスキーム及び第2のコーディングスキームが2つの異なるコーディングスキームのみを表わすが、第1のコーディングスキーム及び第2のコーディングスキームによって使用される特定のコードが限定されないことが理解されるべきである。同様に、第1の値セット及び第2の値セットが2つの異なる値セットのみを表わし、各値セットが変調次数の少なくとも1つの値を含む。明らかに、変調次数は、2つの値セットのみを有することに限定されなくてもよく、例えば、3つ又は4つの値セットを有してもよい。任意の2つの値セット間の関係は、ここでの第1の値セットと第2の値セットとの間の関係を満たす。
【００２８】
第3の態様によれば、この出願はデータ送信方法を提供し、この場合、方法は、端末デバイスにより、変調次数、コードレート、又は、スペクトル効率を取得するステップと、端末デバイスにより、取得された変調次数、コードレート、又は、スペクトル効率に基づき、事前に記憶されたマッピング表から基準チャネル品質指標CQIのインデックスを選択するステップであって、マッピング表が、CQIインデックスと変調次数、コードレート、又は、スペクトル効率との間のマッピング関係を含む、ステップと、端末デバイスにより、基準CQIのインデックスをネットワークデバイスに報告するステップとを含む。
【００２９】
この出願のこの実施形態において、端末デバイス及びネットワークデバイスは、CQIインデックスと変調次数、コードレート、及び／又は、スペクトル効率との間のマッピング関係を少なくとも記録するマッピング表を事前に記憶する。CQIインデックスは、チャネル品質が定量化された後に取得されるシーケンス番号であり、したがって、各CQIインデックスがチャネル品質を反映し得る。端末デバイスは、最初にチャネル品質を測定して、事前に記憶されたマッピング表から現在のチャネル品質を反映するCQIインデックスを選択するとともに、CQIインデックスをネットワークデバイスにフィードバックする。このようにすると、データ送信の信頼性が向上されることができる。
【００３０】
第4の態様によれば、チャネル品質指標CQIを受信するための方法が提供され、この場合、方法は、端末デバイスにより、ネットワークデバイスから指示情報を受信するステップであって、指示情報が目標CQIのインデックスを示すために使用される、ステップと、端末デバイスにより、目標CQIのインデックスに基づくマッピング表から、目標CQIに対応する変調次数、コードレート、又は、スペクトル効率を決定するステップであって、マッピング表が、CQIインデックスと変調次数、コードレート、又は、スペクトル効率との間のマッピング関係を含む、ステップと、端末デバイスにより、決定された変調次数、コードレート、又は、スペクトル効率に基づいてアップリンク又はダウンリンクデータを処理するステップとを含む。
【００３１】
随意的に、端末デバイスにより、ネットワークデバイスから指示情報を受信するステップは、端末デバイスにより、4ビットを使用することによってネットワークデバイスから目標CQIのインデックスを受信することを含む。
【００３２】
第5の態様によれば、チャネル品質指標CQIを送信するための方法が提供され、この場合、方法は、ネットワークデバイスにより、データを送信するためにネットワークデバイスにより使用される又はデータを送信するために端末デバイスにより使用される必要がある変調次数、コードレート、又は、スペクトル効率を決定するステップと、ネットワークデバイスにより、決定された変調次数、コードレート、又は、スペクトル効率に基づいて事前に記憶されたマッピング表から目標CQIのインデックスを選択するステップであって、マッピング表が、CQIインデックスと変調次数、コードレート、又は、スペクトル効率との間のマッピング関係を含む、ステップと、ネットワークデバイスにより、指示情報を端末デバイスに送信するステップであって、指示情報が目標CQIのインデックスを示すために使用される、ステップと、を含む。
【００３３】
随意的に、ネットワークデバイスによって指示情報を送信するステップは、ネットワークデバイスにより、4ビットを使用することによって目標CQIのインデックスを送信することを含む。
【００３４】
随意的に、ネットワークデバイスにより、データを送信するためにネットワークデバイスにより使用される又はデータを送信するために端末デバイスにより使用される必要がある変調次数、コードレート、又は、スペクトル効率を決定するステップは、ネットワークリソース状態に基づいてネットワークデバイスにより、データを送信するためにネットワークデバイスにより使用される又はデータを送信するために端末デバイスにより使用される必要がある変調次数、コードレート、又は、スペクトル効率を決定すること、又は、端末デバイスにより報告される基準CQIのインデックスに関連してマッピング表からネットワークデバイスにより、基準CQIに対応する変調次数、コードレート、又は、スペクトル効率を決定することを含む。
【００３５】
第6の態様によれば、チャネル品質指標CQIを送信するための端末デバイスが提供され、この場合、端末デバイスは、変調次数、コードレート、又は、スペクトル効率を取得するように構成される処理ユニットであって、処理ユニットが、取得された変調次数、コードレート、又は、スペクトル効率に基づき、事前に記憶されたマッピング表から基準CQIのインデックスを選択するようにさらに構成され、マッピング表が、CQIインデックスと変調次数、コードレート、又は、スペクトル効率との間のマッピング関係を含む、処理ユニットと、
基準CQIのインデックスをネットワークデバイスに報告するように構成されるトランシーバユニットと
を含む。
【００３６】
随意的に、トランシーバユニットが基準CQIのインデックスをネットワークデバイスに報告することは、トランシーバユニットが4ビットを使用することによって基準CQIのインデックスをネットワークデバイスに報告することを含む。
【００３７】
第7の態様によれば、チャネル品質指標CQIを受信するための端末デバイスが提供され、この場合、端末デバイスは、
ネットワークデバイスから指示情報を受信するように構成されるトランシーバユニットであって、指示情報が目標CQIのインデックスを示すために使用される、トランシーバユニットと、目標CQIのインデックスに基づくマッピング表から、目標CQIに対応する変調次数、コードレート、又は、スペクトル効率を決定するように構成される処理ユニットであって、マッピング表が、CQIインデックスと変調次数、コードレート、又は、スペクトル効率との間のマッピング関係を含む、処理ユニットとを含み、処理ユニットは、決定された変調次数、コードレート、又は、スペクトル効率に基づいてアップリンク又はダウンリンクデータを処理するようにさらに構成される。
【００３８】
第8の態様によれば、チャネル品質指標CQIを送信するためのネットワークデバイスが提供され、この場合、ネットワークデバイスは、データを送信するためにネットワークデバイスにより使用される又はデータを送信するために端末デバイスにより使用される必要がある変調次数、コードレート、又は、スペクトル効率を決定するように構成される処理ユニットであって、処理ユニットが、決定された変調次数、コードレート、又は、スペクトル効率に基づいて事前に記憶されたマッピング表から目標CQIのインデックスを選択するようにさらに構成され、マッピング表が、CQIインデックスと変調次数、コードレート、又は、スペクトル効率との間のマッピング関係を含む、処理ユニットと、指示情報を端末デバイスに送信するように構成されるトランシーバユニットであって、指示情報が目標CQIのインデックスを示すために使用される、トランシーバユニットとを含む。
【００３９】
随意的に、トランシーバユニットは、4ビットを使用することによって目標CQIのインデックスを送信するように構成される。
【００４０】
処理ユニットは、ネットワークリソース状態に基づいて、データを送信するためにネットワークデバイスにより使用される又はデータを送信するために端末デバイスにより使用される必要がある変調次数、コードレート、又は、スペクトル効率を決定するように構成され、又は、処理ユニットは、端末デバイスによって報告される基準CQIのインデックスに関連してマッピング表から、基準CQIに対応する変調次数、コードレート、又は、スペクトル効率を決定する。
【００４１】
第2の態様〜第8の態様に関連して、想定し得る設計では、マッピング表中のCQIインデックスが、変調次数2、コードレート30、又は、スペクトル効率0．0586に対応し、この場合、実際のコードレートは、コードレートの値30を1024で除算することによって取得され、又は、
第2の態様〜第8の態様に関連して、想定し得る設計では、マッピング表中のCQIインデックスが、変調次数2、コードレート50、又は、スペクトル効率0．0977に対応し、この場合、実際のコードレートは、コードレートの値50を1024で除算することによって取得される。
【００４２】
第2の態様〜第8の態様に関連して、想定し得る設計では、方法又はデバイスが超信頼度・低遅延通信URLLCに適用される。
【００４３】
第2の態様〜第8の態様に関連して、想定し得る設計では、マッピング表が、CQIインデックスとコーディングスキームとの間のマッピング関係をさらに記録する。
【００４４】
第9の態様によれば、変調・コーディングスキームMCSを送信するための方法が提供され、この場合、方法は、端末デバイスにより、変調次数、コードレート、又は、スペクトル効率を取得するステップと、端末デバイスにより、取得された変調次数、コードレート、又は、スペクトル効率に基づき、事前に記憶されたマッピング表から基準MCSのインデックスを選択するステップであって、マッピング表が、MCSインデックスと変調次数、コードレート、又は、スペクトル効率との間のマッピング関係を含む、ステップと、端末デバイスにより、基準MCSのインデックスをネットワークデバイスに報告するステップとを含む。
【００４５】
第10の態様によれば、変調・コーディングスキームMCSを受信するための方法が提供され、この場合、方法は、端末デバイスにより、ネットワークデバイスから指示情報を受信するステップであって、指示情報が目標MCSのインデックスを示すために使用される、ステップと、端末デバイスにより、目標MCSのインデックスに基づくマッピング表から、目標MCSに対応する変調次数、コードレート、又は、スペクトル効率を決定するステップであって、マッピング表が、MCSインデックスと変調次数、コードレート、又は、スペクトル効率との間のマッピング関係を含む、ステップと、端末デバイスにより、決定された変調次数、コードレート、又は、スペクトル効率に基づいてアップリンク又はダウンリンクデータを処理するステップとを含む。
【００４６】
第11の態様によれば、変調・コーディングスキームMCSを送信するための方法であって、方法は、ネットワークデバイスにより、データを送信するためにネットワークデバイスにより使用される又はデータを送信するために端末デバイスにより使用される必要がある変調次数、コードレート、又は、スペクトル効率を決定するステップと、ネットワークデバイスにより、決定された変調次数、コードレート、又は、スペクトル効率に基づいて事前に記憶されたマッピング表から目標MCSのインデックスを選択するステップであって、マッピング表が、MCSインデックスと変調次数、コードレート、又は、スペクトル効率との間のマッピング関係を含む、ステップと、ネットワークデバイスにより、指示情報を端末デバイスに送信するステップであって、指示情報が目標MCSのインデックスを示すために使用される、ステップとを含む。
【００４７】
随意的に、ネットワークデバイスにより、データを送信するためにネットワークデバイスにより使用される又はデータを送信するために端末デバイスにより使用される必要がある変調次数、コードレート、又は、スペクトル効率を決定するステップは、ネットワークリソース状態に基づいてネットワークデバイスにより、データを送信するためにネットワークデバイスにより使用される又はデータを送信するために端末デバイスにより使用される必要がある変調次数、コードレート、又は、スペクトル効率を決定すること、又は、端末デバイスにより報告される基準MCSのインデックスに関連してマッピング表からネットワークデバイスにより、基準MCSに対応する変調次数、コードレート、又は、スペクトル効率を決定することを含む。
【００４８】
第12の態様によれば、変調・コーディングスキームMCSを送信するための端末デバイスが提供され、この場合、端末デバイスは、変調次数、コードレート、又は、スペクトル効率を取得するように構成される処理ユニットであって、処理ユニットが、取得された変調次数、コードレート、又は、スペクトル効率に基づき、事前に記憶されたマッピング表から基準MCSのインデックスを選択するようにさらに構成され、マッピング表が、MCSインデックスと変調次数、コードレート、又は、スペクトル効率との間のマッピング関係を含む、処理ユニットと、基準MCSのインデックスをネットワークデバイスに報告するように構成されるトランシーバユニットとを含む。
【００４９】
第13の態様によれば、変調・コーディングスキームMCSを受信するための端末デバイスが提供され、この場合、端末デバイスは、ネットワークデバイスから指示情報を受信するように構成されるトランシーバユニットであって、指示情報が目標MCSのインデックスを示すために使用される、トランシーバユニットと、目標MCSのインデックスに基づくマッピング表から、目標MCSに対応する変調次数、コードレート、又は、スペクトル効率を決定するように構成される処理ユニットであって、マッピング表が、MCSインデックスと変調次数、コードレート、又は、スペクトル効率との間のマッピング関係を含む、処理ユニットと、を含み、処理ユニットは、決定された変調次数、コードレート、又は、スペクトル効率に基づいてアップリンク又はダウンリンクデータを処理するようにさらに構成される。
【００５０】
第14の態様によれば、変調・コーディングスキームMCSを送信するためのネットワークデバイスが提供され、この場合、方法は、
データを送信するためにネットワークデバイスにより使用される又はデータを送信するために端末デバイスにより使用される必要がある変調次数、コードレート、又は、スペクトル効率を決定するように構成される処理ユニットであって、処理ユニットが、決定された変調次数、コードレート、又は、スペクトル効率に基づいて事前に記憶されたマッピング表から目標MCSのインデックスを選択するようにさらに構成され、マッピング表が、MCSインデックスと変調次数、コードレート、又は、スペクトル効率との間のマッピング関係を含む、処理ユニットと、指示情報を端末デバイスに送信するように構成されるトランシーバユニットであって、指示情報が目標MCSのインデックスを示すために使用される、トランシーバユニットとを含む。
【００５１】
第15の態様によれば、変調・コーディングスキームMCSを受信するための端末デバイスが提供され、この場合、端末デバイスは、ネットワークデバイスから指示情報を受信するように構成されるトランシーバユニットであって、指示情報が目標MCSのインデックスを示すために使用される、トランシーバユニットと、目標MCSのインデックスに基づくマッピング表から、目標MCSに対応する変調次数、コードレート、又は、スペクトル効率を決定するように構成される処理ユニットであって、マッピング表が、MCSインデックスと変調次数、コードレート、又は、スペクトル効率との間のマッピング関係を含む、処理ユニットとを含み、処理ユニットは、決定された変調次数、コードレート、又は、スペクトル効率に基づいてアップリンク又はダウンリンクデータを処理するようにさらに構成される。
【００５２】
第16の態様によれば、変調・コーディングスキームMCSを送信するためのネットワークデバイスが提供され、この場合、方法は、データを送信するためにネットワークデバイスにより使用される又はデータを送信するために端末デバイスにより使用される必要がある変調次数、コードレート、又は、スペクトル効率を決定するように構成される処理ユニットであって、処理ユニットが、決定された変調次数、コードレート、又は、スペクトル効率に基づいて事前に記憶されたマッピング表から目標MCSのインデックスを選択するようにさらに構成され、マッピング表が、MCSインデックスと変調次数、コードレート、又は、スペクトル効率との間のマッピング関係を含む、処理ユニットと、指示情報を端末デバイスに送信するように構成されるトランシーバユニットであって、指示情報が目標MCSのインデックスを示すために使用される、トランシーバユニットとを含む。
【００５３】
随意的に、処理ユニットは、ネットワークリソース状態に基づいて、データを送信するためにネットワークデバイスにより使用される又はデータを送信するために端末デバイスにより使用される必要がある変調次数、コードレート、又は、スペクトル効率を決定するように構成され、又は、処理ユニットは、端末デバイスによって報告される基準MCSのインデックスに関連してマッピング表から、基準MCSに対応する変調次数、コードレート、又は、スペクトル効率を決定する。
【００５４】
第9の態様〜第16の態様のいずれか1つに関連して、想定し得る設計では、マッピング表中のMCSインデックスが、変調次数2、コードレート30、又は、スペクトル効率0．0586に対応し、実際のコードレートは、マッピング表中のコードレートの値30を1024で除算することによって取得され、又は、
第9の態様〜第16の態様のいずれか1つに関連して、想定し得る設計では、マッピング表中のMCSインデックスが、変調次数2、コードレート50、又は、スペクトル効率0．0977に対応し、実際のコードレートは、マッピング表中のコードレートの値50を1024で除算することによって取得され、又は、
第9の態様〜第16の態様のいずれか1つに関連して、想定し得る設計では、マッピング表中のMCSインデックスが、変調次数2、コードレート40、又は、スペクトル効率0．0781に対応し、実際のコードレートは、マッピング表中のコードレートの値40を1024で除算することによって取得され、又は、
第9の態様〜第16の態様のいずれか1つに関連して、想定し得る設計では、マッピング表中のMCSインデックスが、変調次数2、コードレート64、又は、スペクトル効率0．1250に対応し、実際のコードレートは、マッピング表中のコードレートの値64を1024で除算することによって取得される。
【００５５】
第9の態様〜第16の態様のいずれか1つに関連して、想定し得る設計では、方法又はデバイスが超信頼度・低遅延通信URLLCに適用される。
【００５６】
第9の態様〜第16の態様のいずれか1つに関連して、想定し得る設計では、マッピング表が、MCSインデックスとコーディングスキームとの間のマッピング関係をさらに記録する。
【００５７】
第17の態様によれば、この出願はデータ送信装置を提供する。装置は、第1の態様及び第1の態様の任意の想定し得る実施における方法を実施する機能を有する。機能は、ハードウェアを用いて実装されてもよく、或いは、ハードウェアにより対応するソフトウェアを実行することによって実装されてもよい。ハードウェア又はソフトウェアは、前述の機能に対応する1つ以上のユニットを含む。
【００５８】
第18の態様によれば、この出願はデータ送信装置を提供する。装置は、第2の態様及び第2の態様の任意の想定し得る実施における方法を実施する機能を有する。機能は、ハードウェアを用いて実装されてもよく、或いは、ハードウェアにより対応するソフトウェアを実行することによって実装されてもよい。ハードウェア又はソフトウェアは、前述の機能に対応する1つ以上のユニットを含む。
【００５９】
第19の態様によれば、この出願はデータ送信装置を提供する。装置は、第3の態様、第4の態様、第5の態様、第9の態様、第10の態様、第11の態様、及び、それらの任意の想定し得る実施における方法を実施する機能を有する。機能は、ハードウェアを用いて実装されてもよく、或いは、ハードウェアにより対応するソフトウェアを実行することによって実装されてもよい。ハードウェア又はソフトウェアは、前述の機能に対応する1つ以上のユニットを含む。
【００６０】
第20の態様によれば、この出願はコンピュータ可読記憶媒体を提供する。コンピュータ可読記憶媒体はコンピュータ命令を記憶し、コンピュータ命令がコンピュータ上で実行されるときに、コンピュータは、第1の態様又は第1の態様の任意の想定し得る実施における方法を実行する。
【００６１】
第21の態様によれば、この出願はコンピュータ可読記憶媒体を提供する。コンピュータ可読記憶媒体はコンピュータ命令を記憶し、コンピュータ命令がコンピュータ上で実行されるときに、コンピュータは、第2の態様又は第2の態様の任意の想定し得る実施における方法を実行する。
【００６２】
第20の態様によれば、この出願はコンピュータ可読記憶媒体を提供する。コンピュータ可読記憶媒体はコンピュータ命令を記憶し、コンピュータ命令がコンピュータ上で実行されるときに、コンピュータは、第3の態様、第4の態様、第5の態様、第9の態様、第10の態様、第11の態様、又は、これらの任意の想定し得る実施における方法を実行する。
【００６３】
第21の態様によれば、この出願は、メモリ及びプロセッサを含むチップ（又はチップシステム）を提供する。メモリはコンピュータプログラムを記憶するように構成され、また、プロセッサは、メモリからコンピュータプログラムを呼び出してコンピュータプログラムを実行するように構成され、それにより、チップが組み込まれる通信デバイスは、第1の態様又は第1の態様の任意の想定し得る実施における方法を実行する。
【００６４】
第22の態様によれば、この出願は、メモリ及びプロセッサを含むチップ（又はチップシステム）を提供する。メモリはコンピュータプログラムを記憶するように構成され、また、プロセッサは、メモリからコンピュータプログラムを呼び出してコンピュータプログラムを実行するように構成され、それにより、チップが組み込まれる通信デバイスは、第2の態様又は第2の態様の任意の想定し得る実施における方法を実行する。
【００６５】
第22の態様によれば、この出願は、メモリ及びプロセッサを含む通信デバイスを提供する。メモリはコンピュータプログラムを記憶するように構成され、また、プロセッサは、メモリからコンピュータプログラムを呼び出してコンピュータプログラムを実行するように構成され、それにより、通信デバイスは、第3の態様、第4の態様、第5の態様、第9の態様、第10の態様、第11の態様、又は、それらの任意の想定し得る実施における方法を実行する。
【００６６】
第23の態様によれば、この出願は、メモリ及びプロセッサを含むチップ（又はチップシステム）を提供する。メモリはコンピュータプログラムを記憶するように構成され、また、プロセッサは、メモリからコンピュータプログラムを呼び出してコンピュータプログラムを実行するように構成され、それにより、チップが組み込まれる通信デバイスは、第3の態様、第4の態様、第5の態様、第9の態様、第10の態様、第11の態様、又は、それらの任意の想定し得る実施における方法を実行する。
【００６７】
第24の態様によれば、この出願はコンピュータプログラムプロダクトを提供する。コンピュータプログラムプロダクトはコンピュータプログラムコードを含む。コンピュータプログラムコードがコンピュータ上で実行されるときに、コンピュータは、第1の態様及び第1の態様の任意の想定し得る実施における方法を実行する。
【００６８】
第25の態様によれば、この出願はコンピュータプログラムプロダクトを提供する。コンピュータプログラムプロダクトはコンピュータプログラムコードを含む。コンピュータプログラムコードがコンピュータ上で実行されるときに、コンピュータは、第2の態様又は第2の態様の任意の想定し得る実施における方法を実行する。
【００６９】
第26の態様によれば、この出願はコンピュータプログラムプロダクトを提供する。コンピュータプログラムプロダクトはコンピュータプログラムコードを含む。コンピュータプログラムコードがコンピュータ上で実行されるときに、コンピュータは、第3の態様、第4の態様、第5の態様、第9の態様、第10の態様、第11の態様、又は、それらの任意の想定し得る実施における方法を実行する。
【００７０】
この出願の実施形態の技術的解決策において、ネットワークデバイスがダウンリンクデータを送信する前に、端末デバイスは、チャネル品質を測定し、マッピング表から基準CQIのインデックスを選択するとともに、基準CQIのインデックスを報告して、チャネル品質をネットワークデバイスにフィードバックする。端末デバイスによって報告された基準CQIのインデックス及び／又は現在のネットワークリソース状態に基づいて、ネットワークデバイスは、データを送信するために使用される必要がある変調次数、コードレート、又は、スペクトル効率を決定し、データを送信するために使用される必要がある決定された変調次数、コードレート、又は、スペクトル効率に基づいてマッピング表から目標CQIのインデックスを選択するとともに、目標CQIのインデックスを端末デバイスに示して、データ送信の信頼性を向上させる。
【図面の簡単な説明】
【００７１】
【図１】この出願の一実施形態に適用可能な無線通信システム100を示す。
【図２】この出願の一実施形態に係るデータ送信方法200の概略相互作用図である。
【図３】この出願の一実施形態に係るデータ送信装置300の概略ブロック図である。
【図４】この出願の一実施形態に係る端末デバイス400の概略構造図である。
【図５】この出願の一実施形態に係るデータ送信装置500の概略ブロック図である。そして
【図６】この出願の一実施形態に係るネットワークデバイス600の概略構造図である。
【発明を実施するための形態】
【００７２】
以下、添付図面を参照してこの出願の技術的解決策について説明する。
【００７３】
図1は、この出願の一実施形態に適用可能な無線通信システム100を示す。無線通信システムは少なくとも1つのネットワークデバイス101を含んでもよく、また、ネットワークデバイスは1つ以上の端末デバイス（例えば、図1に示される端末デバイス102及び端末デバイス103）と通信する。ネットワークデバイスは、基地局であってもよく、基地局と基地局コントローラとが統合された後に得られるデバイスであってもよく、或いは、同様の通信機能を有する他のデバイスであってもよい。
【００７４】
端末デバイスは、通信機能を有するデバイスであり、ハンドヘルドデバイス、車載デバイス、ウェアラブルデバイス、コンピュータデバイス、無線通信機能を有する無線モデムに接続される他の処理デバイス等を含んでもよい。端末デバイスは、屋内又は屋外のデバイス及びハンドヘルドデバイス又は車載デバイスを含めて、陸上に配置されてもよく、又は、水上（例えば、船上）に配置されてもよく、又は、空中（例えば、飛行機、気球、又は、衛星）に配置されてもよい。端末デバイスは、携帯電話（mobile phone）、タブレットコンピュータ（Pad）、無線送信／受信機能を伴うコンピュータ、仮想現実（Virtual Reality，VR）端末デバイス、拡張現実（Augmented Reality，AR）端末デバイス、工業制御（industrial control）における無線端末デバイス、自動運転（self driving）における無線端末デバイス、遠隔医療（remote medical）における無線端末デバイス、スマートグリッド（smart grid）における無線端末デバイス、交通安全（transportation safety）における無線端末デバイス、スマートシティ（smart city）における無線端末デバイス、スマートホーム（smart home）における無線端末デバイスなどであってもよい。端末デバイスは、異なるネットワークでは、異なる名前、例えば、ユーザ機器、移動局、加入者ユニット、ステーション、携帯電話、携帯情報端末、無線モデム、無線通信デバイス、ハンドヘルドデバイス、ラップトップコンピュータ、コードレスフォン、及び、無線ローカルループステーションを有してもよい。説明を簡単にするために、これらのデバイスは、この出願では単に端末デバイスと称される。
【００７５】
基地局（base station，BS）は、基地局デバイスと称されてもよく、また、無線通信機能を与えるために無線アクセスネットワーク内に配置されるデバイスである。異なる無線アクセスシステムでは、基地局が異なる名前を有してもよい。例えば、ユニバーサルモバイルテレコミュニケーションシステム（Universal Mobile Telecommunications System、UMTS）ネットワークにおける基地局はノードB（NodeB）と称され、LTEネットワークにおける基地局は進化型ノードB（evolved NodeB、eNB又はeNodeB）と称され、新規無線（new radio，NR）ネットワークにおける基地局は送信受信ポイント（transmission reception point，TRP）又は次世代NodeB（generation NodeB，gNB）と称され、或いは、複数の技術を統合する他のネットワーク又は他の進化型ネットワークにおける基地局は他の名前を有する場合がある。これは本発明において限定されない。
【００７６】
この出願の実施形態における無線通信システムは、狭帯域インターネットオブシングス（Narrow Band−Internet of Things，NB−IoT）システム、モバイル通信用グローバルシステム（Global System for Mobile Communications，GSM）、GSMエボリューションのための拡張データレート（Enhanced Data rate for GSM Evolution，EDGE）システム、広帯域コード分割多重アクセス（Wideband Code Division Multiple Access，WCDMA(登録商標)）システム、コード分割多重アクセス2000（Code Division Multiple Access，CDMA2000）システム、時分割同期コード分割多重アクセス（Time Division−Synchronization Code Division Multiple Access、TD−SCDMA）システム、ロング・ターム・エボリューション（Long Term Evolution、LTE）システム、次世代5Gモバイル通信システムの3つの主要な用途シナリオ、すなわち、拡張モバイルブロードバンド（Enhanced Mobile Broadband，eMBB）、超信頼度・低遅延通信（Ultra Reliable and Low Latency Communications，URLLC）、大規模マシンタイプ通信（Massive Machine Type Communication，eMTC）、又は、将来の新しい通信システムを含むが、これらに限定されない。
【００７７】
理解を容易にするために、この出願の実施形態における関連する概念が最初に簡単に説明される。
【００７８】
5Gは、次世代の無線通信技術として広く注目されてきており、標準化のために3GPP及び他の国際機関によって広く研究される。チャネルコーディング技術が、データ送信の信頼性を向上させるために通信技術の分野で一般に使用される方法である。5Gでは、データチャネルに関して低密度パリティ検査（Low Density Parity Check、LDPC）コードが使用され、制御チャネルに関してポーラーコードが使用されることが提案される。
【００７９】
LDPCコードは、スパースパリティ検査マトリックスを伴う線形ブロックコードの一種であり、具体的には、LDPCコードのパリティ検査行列には、非ゼロ要素よりもはるかに多くのゼロ要素があり、非ゼロ要素は不規則に分布される。Nに等しいコード長及びKに等しい情報シーケンス長を有する線形ブロックコードが、線形ブロックコードのパリティ検査行列によって一意的に決定されてもよい。LDPCコードは、シャノン限界に近い優れた性能を有するだけでなく、デコーディングの複雑さも比較的低く、構造が柔軟である。LDPCコードは、近年のチャネルコーディングの分野における研究のホットスポットであり、深宇宙通信、光ファイバ通信、及び、衛星デジタルビデオ・オーディオラジオサービスなどの分野で広く使用されてきた。準巡回低密度パリティ検査（Quasi−Cyclic Low−Density Parity−Check，QC−LDPC）コードが、LDPCコードのサブクラスである。QC−LDPCコードのパリティ検査行列（parity check matrix）がベースグラフを拡張することにより得られ、また、QC−LDPCのパリティ検査行列は、簡単な記述及び容易な構成によって特徴付けられる。3GPP TS38．212．V15．0．0（2017−12）では、LDPCコードの2つの異なるベースグラフ（base graph，BG）、すなわち、BG 1及びBG 2がLDPCコーディングのために導入される。詳細については、文献3GPP TS38．212．V15．0．0（2017−12）を参照されたい。
【００８０】
ポーラーコードは、コーディング行列（生成行列とも称される）GN及びコーディングプロセス
【数１】
2021510988.tif 000009
を伴う線形ブロックコードでもある。
【数２】
2021510988.tif 000010
は、Nの長さ（コード長）を伴うバイナリ行ベクトルであり、コード化されるべきベクトルとも称される。N＝2nであり、また、nは正の整数である。
【数３】
2021510988.tif 000011
はコード化されたマザーコードワードである。GNはN×N行列であり、また、
【数４】
2021510988.tif 000012
である。
【数５】
2021510988.tif 000013
は、log2N行列F2のクロネッカー（Kronecker）積として規定され、この場合、
【数６】
2021510988.tif 000014
である。前述の式における加算及び乗算の演算は全てバイナリガロア体における加算及び乗算の演算である。ポーラーコードのコーディングプロセスでは、
【数７】
2021510988.tif 000015
における幾つかのビットが、情報を伝えるために使用され、情報ビットセットと称される。これらのビットのインデックスのセットはAとして示される。他のビットは、受信端及び送信端で予め決定される固定値として設定され、固定ビットセット又は凍結ビット（frozen bits）セットと称され、また、凍結ビットセットのインデックスのセットは、Aの相補的セットAcとして示される。ポーラーコードのコーディングプロセスは、
【数８】
2021510988.tif 000016
に相当する。ここで、FN（A）は、セットAにおけるインデックスに対応する行から導出されるFNにおける部分行列である。FN（AC）は、セットACにおけるインデックスに対応する行から導出されるFNにおける部分行列である。uAは
【数９】
2021510988.tif 000017
における情報ビットのセットであり、また、情報ビットの量はKである。
【数１０】
2021510988.tif 000018
は
【数１１】
2021510988.tif 000019
における固定ビットのセットであり、固定ビットの量は（N−K）であり、また、固定ビットは既知のビットである。これらの固定ビットは一般に0に設定される。しかしながら、固定ビットは、受信端及び送信端側が値について事前に合意していれば、任意の値に設定されてもよい。したがって、ポーラーコードのコーディング出力は、以下のように簡略化されてもよい。
【数１２】
2021510988.tif 000020
ここで、uAは
【数１３】
2021510988.tif 000021
における情報ビットのセット、uAは長さKを有する行ベクトル、つまり、
【数１４】
2021510988.tif 000022
、記号
【数１５】
2021510988.tif 000023
はセット内の要素の量を表わし、Kは情報ブロックのサイズ、FN（A）は行列FN内にあってセットA内のインデックスに対応する行から導出される部分行列であり、FN（A）はN×N行列である。ポーラーコードの構成プロセスは、セットAの選択プロセスである。これは、ポーラーコードの性能を決定する。
【００８１】
この出願の実施形態における技術的な解決策は、データ送信の信頼性を向上させるために、端末デバイスがチャネル品質指標CQIをネットワークデバイスに報告するシナリオに適用可能である。以下は、この出願の実施形態におけるデータ送信方法のプロセスを説明するために一例として5Gにおける新規無線（new radio，NR）技術でのURLLCシナリオを使用する。
【００８２】
図2は、この出願の一実施形態に係るデータ送信方法200の概略相互作用図である。ステップ210〜260は、単にデータ送信方法200のプロセスを示そうとしているにすぎず、方法200に対するいかなる限定も構成すべきでないことが理解されるべきである。これらのステップは、より多くのステップに分割されてもよく、より少ないステップに統合されてもよい。
【００８３】
210．端末デバイスは、変調次数、コードレート、又は、周波数利用効率を取得し、取得された変調次数、コードレート、又は、周波数利用効率に基づいて、事前に記憶されたマッピング表から基準CQIのインデックスを選択する。
【００８４】
端末デバイスによって取得される変調次数、コードレート、又は、スペクトル効率は、現在のチャネル品質を反映し得る。チャネル品質は、チャネル品質指標（Channel Quality Indicator，CQI）インデックスとして定量化されて表わされてもよい。
【００８５】
本明細書中のマッピング表は、CQI表又は変調・コーディングスキーム（modulation and coding scheme，MCS）表と称されてもよい。マッピング表は、CQIインデックスと変調次数、コードレート、又は、スペクトル効率との間のマッピング関係を含む。
【００８６】
変調次数は、1つの記号で送信されるビットの量を決定する。例えば、QPSKは変調次数2に対応し、16QAMは変調次数4に対応し、64QAMは変調次数6に対応する。
【００８７】
コードレートは、物理チャネル上のビットの総量に対するトランスポートブロック内の情報ビットの量の比率である。
【００８８】
スペクトル効率は、1つのリソース要素（resource element，RE）で伝えられ得る情報ビットを表わす。
【００８９】
ダウンリンクデータを送信する前に、ネットワークデバイスがデータチャネル状態を知らないことが理解され得る。データ送信の信頼性を向上させるために、端末デバイスは、チャネル品質を測定して、チャネル品質をネットワークデバイスにフィードバックしてもよい。チャネル品質は、通信プロトコルで0〜15のシーケンスとして定量化されて、CQIとして規定される。各CQIは1つのインデックスに対応する（以下、CQIインデックスと称される）。端末デバイスがネットワークデバイスにフィードバックするCQIは、基準としてのみ使用される。したがって、この明細書中では、端末デバイスがネットワークデバイスにフィードバックするCQIのインデックスが基準CQIのインデックスと称される。
【００９０】
220．端末デバイスは、第1の指示情報をネットワークデバイスに送信し、また、ネットワークデバイスは、第1の指示情報を端末デバイスから受信し、この場合、第1の指示情報は、基準CQIのインデックスを示すために使用される。
【００９１】
第1の指示情報の形式は本明細書中で限定されず、当業者は、端末デバイスが基準CQIのインデックスをネットワークデバイスに報告する複数の実現可能な方法を容易に理解することができる。例えば、端末デバイスは、4ビットを使用することによって基準CQIのインデックスをネットワークデバイスに示してもよい。
【００９２】
230．ネットワークデバイスは、データを送信するために実際に使用される必要がある変調次数、コードレート、又は、スペクトル効率を決定する。
【００９３】
ステップ230において、ネットワークデバイスは、ネットワークリソース状態に基づいて、データを送信するために実際に使用される必要がある変調次数、コードレート、又は、スペクトル効率を決定してもよい。或いは、ネットワークデバイスは、端末デバイスによって報告される基準CQIのインデックスに関連してマッピング表から、基準CQIに対応する変調次数、コードレート、又は、スペクトル効率を決定してもよい。このようにして、ネットワークデバイスは、現在のチャネル品質を学習して、データを送信するために実際に使用される必要がある変調次数、コードレート、又は、スペクトル効率を決定できる。
【００９４】
240．ネットワークデバイスは、データを送信するために実際に使用される必要がある変調次数、コードレート、又は、スペクトル効率に基づいて、事前に記憶されたマッピング表から目標CQIのインデックスを選択する。
【００９５】
同様に、マッピング表は、CQIインデックスと変調次数、コードレート、又は、スペクトル効率との間のマッピング関係を含む。
【００９６】
250．ネットワークデバイスは、第2の指示情報を端末デバイスに送信し、また、端末デバイスは、ネットワークデバイスから第2の指示情報を受信する。
【００９７】
第2の指示情報は、目標CQIのインデックスを示す。
【００９８】
260．端末デバイスは、目標CQIのインデックスに基づくマッピング表から、目標CQIのインデックスに対応する変調次数、コードレート、及び、コーディングスキームのうちの少なくとも1つを決定する。その後、端末デバイスは、決定された変調次数、コードレート、及び／又は、コーディングスキームに基づいて受信されたデータを処理する。
【００９９】
目標CQIは、基準CQIと同じであっても異なっていてもよいことが理解され得る。ネットワークデバイスは、現在のネットワークリソース状態に基づいて、データを送信するために実際に使用される必要がある変調次数、コードレート、又は、スペクトル効率を決定して、マッピング表から、実際に使用される必要がある変調次数、コードレート、又は、スペクトル効率に対応する目標CQIのインデックスを選択してもよい。或いは、ネットワークデバイスは、現在のネットワークリソース状態に関連して目標CQIのインデックス及び基準CQIのインデックスを選択してもよい。最後に、ネットワークデバイスは、第2の指示情報を使用することによって目標CQIの選択されたインデックスを端末デバイスに通知する。この出願のこの実施形態における方法によれば、データを送信する前に、ネットワークデバイスは現在のチャネル品質を参照し、それにより、データ送信の信頼性が向上されることができる。
【０１００】
実際には、マッピング表は、端末デバイスが基準CQIのインデックスをフィードバックする必要がないことを除き、同様の原理にしたがってアップリンクデータ送信に適用される。ネットワークデバイスは、アップリンクチャネルに基づき、アップリンクで使用される変調次数、コードレート、及び、コーディングスキームのうちの少なくとも1つを直接に決定し、マッピング表にしたがって、アップリンクデータ送信のための目標CQIのインデックスを決定し、及び、指示情報を使用することによって端末デバイスにインデックスを送信してもよい。端末デバイスは、目標CQIの受信されたインデックス及びマッピング表に基づき、目標CQIの受信されたインデックスに対応する変調次数、コードレート、又は、コーディングスキームを決定するとともに、決定された変調次数、コードレート、及び／又は、コーディングスキームに基づいて送信されるべきアップリンクデータを処理してもよい。
【０１０１】
現在、次世代無線通信技術として、5Gは、大きな注目を集めており、標準化のために3GPP及び他の国際機関によって広く研究される。5Gは、様々な業界、垂直産業、及び、仮想運用サービスに関するオペレーターのカスタマイズ要件を満たすことができる。5Gの3つの適用シナリオは、拡張モバイルブロードバンド（Enhanced Mobile BroadBand、eMBB）、超信頼度・低遅延通信（Ultra−reliable low latency communications，URLLC）、及び、大規模マシンタイプ通信（Massive Machine type communications，mMTC）を含む。URLLCシナリオにおける目標BLERは、10％未満であることが認められており、少なくとも10−5以下である必要がある。URLLCシナリオが複数の異なる使用ケース（use case）を含むことを考慮すると、異なる使用ケースにおけるBLER要件は、異なっており、比較的大きいスパンを有する。CQI表を1つだけ設計することは適切ではない。例えば、複数の使用ケースでデータ送信のために同じCQI表が使用される場合には、幾つかの使用ケースでBLERが確保されることができない場合があり、一方、BLERは、非常に厳格であり、幾つかの使用ケースでは不要である。
【０１０２】
このため、さらに、この出願は、異なるBLER要件を満たすCQI表を設計するために、CQI表設計スキームを提案する。BLER要件が異なる使用ケースでは、データ送信の信頼性はある程度まで確保されることができる。
【０１０３】
以下は、この出願で設計されるCQI表を詳細に説明する。
【０１０４】
以下では、異なる使用ケースで求められるBLERが目標BLERと称される。この明細書中で与えられる複数の実現可能な形態のCQI表を考慮して、明確にするために、CQI表におけるコーディングスキームに基づいてCQI表が1つずつ説明される。各コーディングスキームでは、目標BLERとコードレートに関するシステムの制限とに応じて、幾つかの形式のCQI表が与えられる。
【０１０５】
以下で与えられるCQI表におけるコーディングスキームは、Polar、LDPC BG1、及び、LDPC BG2を含む。上記の説明から分かるように、BG1及びBG2は2つの異なるベースグラフを表わす。したがって、LDPC BG1は、ベースグラフBG1に基づいて得られるLDPCを表わす。LDPC BG2は、ベースグラフBG2に基づいて得られるLDPCを表わす。BG1及びBG2の説明については、文献3GPP TS 38．212．V15．0．0（2017−12）を参照されたい。
【０１０６】
以下のコードレートに関するシステムの制限としては、コードレートの制限なし、最大コードレートの制限を伴わない最小コードレートの制限、最低コードレートの制限を伴わない最高コードレートの制限、最低コードレート及び最高コードレートの両方の制限が挙げられる。
【０１０７】
以下は、この出願で設計されるCQI表を与える。
【０１０８】
簡潔にするために、CQIインデックスは以下のインデックスとして示される。SEはスペクトル効率を表わし、CRはコードレートを表わし、Modは変調スキーム（すなわち、変調次数）を表わし、Codeは使用されるコーディングスキームを表わす。
【０１０９】
この明細書における各表中のCRが実際のコードレートではなく、実際のコードレートが表中のCRを1024で除算した値でなければならないことが留意されるべきである。これも業界では一般的なやり方である。
【０１１０】
1．コーディングスキームはポーラーコードのみに関連する。
【０１１１】
1．1コードレートに制限はない。
【０１１２】
1．1．1目標BLER＝10−1
【０１１３】
【表１】
2021510988.tif 000024
【０１１４】
表1は、SE及びCRに基づいてCQIインデックスを選択する一例を与えるために使用される。これは、この明細書における全ての表に適用可能である。例えば、SE＝0．07は、チャネル品質に基づいて又は他の計算方法を使用することによって取得され、その後、0．07以下であって0．07に最も近いSE値に対応するCQIインデックスが表1から選択され、すなわち、対応するCQIインデックスは1である。他の例の場合、チャネル品質に基づいて又は他の計算方法を使用することによってCR＝60が取得され、その後、60以下であって60に最も近いCR値に対応するCQIインデックスが表1から選択され、すなわち、対応するCQIインデックスは2である。この出願のこの実施形態において、端末デバイスは、このルールにしたがって基準CQIのインデックスを選択する、又は、ネットワークデバイスは、このルールにしたがって目標CQIのインデックスを選択する。
【０１１５】
1．1．2目標BLER＝10−2
【０１１６】
【表２】
2021510988.tif 000025
【０１１７】
1．1．3目標BLER＝10−3
【０１１８】
【表３】
2021510988.tif 000026
【０１１９】
1．1．4目標BLER＝10−4
【０１２０】
【表４】
2021510988.tif 000027
【０１２１】
1．1．5目標BLER＝10−5
【０１２２】
【表５】
2021510988.tif 000028
【０１２３】
1．1．6目標BLER＝10−6
【０１２４】
【表６】
2021510988.tif 000029
【０１２５】
1．2最小コードレートRmin＝40／1024、及び、最大コードレートの制限はない
【０１２６】
1．2．1目標BLER＝10−1
【０１２７】
【表７】
2021510988.tif 000030
【０１２８】
1．2．2目標BLER＝10−2
【０１２９】
【表８】
2021510988.tif 000031
【０１３０】
1．2．3目標BLER＝10−3
【０１３１】
【表９】
2021510988.tif 000032
【０１３２】
1．2．4目標BLER＝10−4
【０１３３】
【表１０】
2021510988.tif 000033
【０１３４】
1．2．5目標BLER＝10−5
【０１３５】
【表１１】
2021510988.tif 000034
【０１３６】
1．2．6目標BLER＝10−6
【０１３７】
【表１２】
2021510988.tif 000035
【０１３８】
1．3最小コードレートの制限はない、及び、最大コードレートRmax＝2／3
【０１３９】
1．3．1目標BLER＝10−1
【０１４０】
【表１３】
2021510988.tif 000036
【０１４１】
1．3．2目標BLER＝10−2
【０１４２】
【表１４】
2021510988.tif 000037
【０１４３】
1．3．3目標BLER＝10−3
【０１４４】
【表１５】
2021510988.tif 000038
【０１４５】
1．3．4目標BLER＝10−4
【０１４６】
【表１６】
2021510988.tif 000039
【０１４７】
1．3．5目標BLER＝10−5
【０１４８】
【表１７】
2021510988.tif 000040
【０１４９】
1．3．6目標BLER＝10−6
【０１５０】
【表１８】
2021510988.tif 000041
【０１５１】
1．4最小コードレートRmin＝40／1024、及び、最大コードレートRmax＝2／3
【０１５２】
1．4．1目標BLER＝10−1
【０１５３】
【表１９】
2021510988.tif 000042
【０１５４】
1．4．2目標BLER＝10−2
【０１５５】
【表２０】
2021510988.tif 000043
【０１５６】
1．4．3目標BLER＝10−3
【０１５７】
【表２１】
2021510988.tif 000044
【０１５８】
1．4．4目標BLER＝10−4
【０１５９】
【表２２】
2021510988.tif 000045
【０１６０】
1．4．5目標BLER＝10−5
【０１６１】
【表２３】
2021510988.tif 000046
【０１６２】
1．4．6目標BLER＝10−6
【０１６３】
【表２４】
2021510988.tif 000047
【０１６４】
2．コーディングスキームは、LDPC BG2のみに関連する。
【０１６５】
2．1コードレートに制限はない。
【０１６６】
2．1．1目標BLER＝10−1
【０１６７】
【表２５】
2021510988.tif 000048
【０１６８】
2．1．2目標BLER＝10−2
【０１６９】
【表２６】
2021510988.tif 000049
【０１７０】
2．1．3目標BLER＝10−3
【０１７１】
【表２７】
2021510988.tif 000050
【０１７２】
2．1．4目標BLER＝10−4
【０１７３】
【表２８】
2021510988.tif 000051
【０１７４】
2．1．5目標BLER＝10−5
【０１７５】
【表２９】
2021510988.tif 000052
【０１７６】
2．1．6目標BLER＝10−6
【０１７７】
【表３０】
2021510988.tif 000053
【０１７８】
2．2最小コードレートRmin＝40／1024、及び、最大コードレートに制限はない
【０１７９】
2．2．1目標BLER＝10−1
【０１８０】
【表３１】
2021510988.tif 000054
【０１８１】
2．2．2目標BLER＝10−2
【０１８２】
【表３２】
2021510988.tif 000055
【０１８３】
2．2．3目標BLER＝10−3
【０１８４】
【表３３】
2021510988.tif 000056
【０１８５】
2．2．4目標BLER＝10−4
【０１８６】
【表３４】
2021510988.tif 000057
【０１８７】
2．2．5目標BLER＝10−5
【０１８８】
【表３５】
2021510988.tif 000058
【０１８９】
2．2．6目標BLER＝10−6
【０１９０】
【表３６】
2021510988.tif 000059
【０１９１】
2．3最小コードレートに制限はない、及び、最大コードレートしRmax＝2／3
【０１９２】
2．3．1目標BLER＝10−1
【０１９３】
【表３７】
2021510988.tif 000060
【０１９４】
2．3．2目標BLER＝10−2
【０１９５】
【表３８】
2021510988.tif 000061
【０１９６】
2．3．3目標BLER＝10−3
【０１９７】
【表３９】
2021510988.tif 000062
【０１９８】
2．3．4目標BLER＝10−4
【０１９９】
【表４０】
2021510988.tif 000063
【０２００】
2．3．5目標BLER＝10−5
【０２０１】
【表４１】
2021510988.tif 000064
【０２０２】
2．3．6目標BLER＝10−6
【０２０３】
【表４２】
2021510988.tif 000065
【０２０４】
2．4最小コードレートRmin＝40／1024、及び、最大コードレートRmax＝2／3
【０２０５】
2．4．1目標BLER＝10−1
【０２０６】
【表４３】
2021510988.tif 000066
【０２０７】
2．4．2目標BLER＝10−2
【０２０８】
【表４４】
2021510988.tif 000067
【０２０９】
2．4．3目標BLER＝10−3
【０２１０】
【表４５】
2021510988.tif 000068
【０２１１】
2．4．4目標BLER＝10−4
【０２１２】
【表４６】
2021510988.tif 000069
【０２１３】
2．4．5目標BLER＝10−5
【０２１４】
【表４７】
2021510988.tif 000070
【０２１５】
2．4．6目標BLER＝10−6
【０２１６】
【表４８】
2021510988.tif 000071
【０２１７】
3．コーディングスキームは、LDPC BG2及びLDPC BG1を含む。
【０２１８】
この節は、エンジニアリング使用のために所定のマッピング表に対する幾つかの調整を可能にしてもよく、例えば、LDPC BG2は、直交位相シフトキーイング（Quadrature Phase Shift Keying，QPSK）及び16QAM（直交振幅変調、Quadrature Amplitude Modulation）のために使用され、また、LDPC BG1は64QAMのために使用される。言い換えると、マッピング表を調整するという考えは、変調次数の値をコーディングスキームに対応させること、又は、変調次数をコーディングスキームにマッピングすることである。
【０２１９】
3．1コードレートに制限はない
【０２２０】
3．1．1目標BLER＝10−1
【０２２１】
【表４９】
2021510988.tif 000072
【０２２２】
調整された表は表50である。
【０２２３】
【表５０】
2021510988.tif 000073
【０２２４】
3．1．2目標BLER＝10−2
【０２２５】
【表５１】
2021510988.tif 000074
【０２２６】
調整された表は表52である。
【０２２７】
【表５２】
2021510988.tif 000075
【０２２８】
3．1．3目標BLER＝10−3
【０２２９】
【表５３】
2021510988.tif 000076
【０２３０】
調整された表は表54である。
【０２３１】
【表５４】
2021510988.tif 000077
【０２３２】
3．1．4目標BLER＝10−4
【０２３３】
【表５５】
2021510988.tif 000078
【０２３４】
調整された表は表56である。
【０２３５】
【表５６】
2021510988.tif 000079
【０２３６】
3．1．5目標BLER＝10−5
【０２３７】
【表５７】
2021510988.tif 000080
【０２３８】
調整された表は表58である。
【０２３９】
【表５８】
2021510988.tif 000081
【０２４０】
3．1．6目標BLER＝10−6
【０２４１】
【表５９】
2021510988.tif 000082
【０２４２】
調整された表は表60である。
【０２４３】
【表６０】
2021510988.tif 000083
【０２４４】
3．2最小コードレートRmin＝40／1024、及び、最大コードレートの制限はない
【０２４５】
3．2．1目標BLER＝10−1
【０２４６】
【表６１】
2021510988.tif 000084
【０２４７】
調整された表は表62である。
【０２４８】
【表６２】
2021510988.tif 000085
【０２４９】
3．2．2目標BLER＝10−2
【０２５０】
【表６３】
2021510988.tif 000086
【０２５１】
調整された表は表64である。
【０２５２】
【表６４】
2021510988.tif 000087
【０２５３】
3．2．3目標BLER＝10−3
【０２５４】
【表６５】
2021510988.tif 000088
【０２５５】
調整された表は表66である。
【０２５６】
【表６６】
2021510988.tif 000089
【０２５７】
3．2．4目標BLER＝10−4
【０２５８】
【表６７】
2021510988.tif 000090
【０２５９】
調整された表は表68である。
【０２６０】
【表６８】
2021510988.tif 000091
【０２６１】
3．2．5目標BLER＝10−5
【０２６２】
【表６９】
2021510988.tif 000092
【０２６３】
調整された表は表70である。
【０２６４】
【表７０】
2021510988.tif 000093
【０２６５】
3．2．6目標BLER＝10−6
【０２６６】
【表７１】
2021510988.tif 000094
【０２６７】
調整された表は表72である。
【０２６８】
【表７２】
2021510988.tif 000095
【０２６９】
3．3最小コードレートの制限はない、及び、最大コードレートRmax＝2／3
【０２７０】
3．3．1目標BLER＝10−1
【０２７１】
【表７３】
2021510988.tif 000096
【０２７２】
調整された表は表74である。
【０２７３】
【表７４】
2021510988.tif 000097
【０２７４】
3．3．2目標BLER＝10−2
【０２７５】
【表７５】
2021510988.tif 000098
【０２７６】
調整された表は表76である。
【０２７７】
【表７６】
2021510988.tif 000099
【０２７８】
3．3．3目標BLER＝10−3
【０２７９】
【表７７】
2021510988.tif 000100
【０２８０】
調整された表は表78である。
【０２８１】
【表７８】
2021510988.tif 000101
【０２８２】
3．3．4目標BLER＝10−4
【０２８３】
【表７９】
2021510988.tif 000102
【０２８４】
調整された表は表80である。
【０２８５】
【表８０】
2021510988.tif 000103
【０２８６】
3．3．5目標BLER＝10−5
【０２８７】
【表８１】
2021510988.tif 000104
【０２８８】
調整された表は表82である。
【０２８９】
【表８２】
2021510988.tif 000105
【０２９０】
3．3．6目標BLER＝10−6
【０２９１】
【表８３】
2021510988.tif 000106
【０２９２】
調整された表は表84である。
【０２９３】
【表８４】
2021510988.tif 000107
【０２９４】
3．4最小コードレートRmin＝40／1024、及び、最大コードレートRmax＝2／3
【０２９５】
3．4．1目標BLER＝10−1
【０２９６】
【表８５】
2021510988.tif 000108
【０２９７】
調整された表は表86である。
【０２９８】
【表８６】
2021510988.tif 000109
【０２９９】
3．4．2目標BLER＝10−2
【０３００】
【表８７】
2021510988.tif 000110
【０３０１】
調整された表は表88である。
【０３０２】
【表８８】
2021510988.tif 000111
【０３０３】
3．4．3目標BLER＝10−3
【０３０４】
【表８９】
2021510988.tif 000112
【０３０５】
調整された表は表90である。
【０３０６】
【表９０】
2021510988.tif 000113
【０３０７】
3．4．4目標BLER＝10−4
【０３０８】
【表９１】
2021510988.tif 000114
【０３０９】
調整された表は表92である。
【０３１０】
【表９２】
2021510988.tif 000115
【０３１１】
3．4．5目標BLER＝10−5
【０３１２】
【表９３】
2021510988.tif 000116
【０３１３】
調整された表は表94である。
【０３１４】
【表９４】
2021510988.tif 000117
【０３１５】
3．4．6目標BLER＝10−6
【０３１６】
【表９５】
2021510988.tif 000118
【０３１７】
調整された表は表96である。
【０３１８】
【表９６】
2021510988.tif 000119
【０３１９】
4．コーディングスキームは、LDPC BG2及びポーラーコードを含む。
【０３２０】
この節は、エンジニアリング使用のためにマッピング表に対する幾つかの調整を可能にしてもよく、例えば、QPSKのためにポーラーコードが使用され、また、16QAM及び64QAMのためにLDPC BG2が使用される。言い換えると、マッピング表を調整するという考えは、変調次数の値をコーディングスキームにマッピングすることである。
【０３２１】
4．1コードレートの制限はない
【０３２２】
4．1．1目標BLER＝10−1
【０３２３】
【表９７】
2021510988.tif 000120
【０３２４】
調整された表は表98である。
【０３２５】
【表９８】
2021510988.tif 000121
【０３２６】
4．1．2目標BLER＝10−2
【０３２７】
【表９９】
2021510988.tif 000122
【０３２８】
調整された表は表100である。
【０３２９】
【表１００】
2021510988.tif 000123
【０３３０】
4．1．3目標BLER＝10−3
【０３３１】
【表１０１】
2021510988.tif 000124
【０３３２】
調整された表は表102である。
【０３３３】
【表１０２】
2021510988.tif 000125
【０３３４】
4．1．4目標BLER＝10−4
【０３３５】
【表１０３】
2021510988.tif 000126
【０３３６】
調整された表は表104である。
【０３３７】
【表１０４】
2021510988.tif 000127
【０３３８】
4．1．5目標BLER＝10−5
【０３３９】
【表１０５】
2021510988.tif 000128
【０３４０】
調整された表は表106である。
【０３４１】
【表１０６】
2021510988.tif 000129
【０３４２】
4．1．6目標BLER＝10−6
【０３４３】
【表１０７】
2021510988.tif 000130
【０３４４】
調整された表は表108である。
【０３４５】
【表１０８】
2021510988.tif 000131
【０３４６】
4．2最小コードレートRmin＝40／1024、及び、最大コードレートの制限はない
【０３４７】
4．2．1目標BLER＝10−1
【０３４８】
【表１０９】
2021510988.tif 000132
【０３４９】
調整された表は表110である。
【０３５０】
【表１１０】
2021510988.tif 000133
【０３５１】
4．2．2目標BLER＝10−2
【０３５２】
【表１１１】
2021510988.tif 000134
【０３５３】
調整された表は表112である。
【０３５４】
【表１１２】
2021510988.tif 000135
【０３５５】
4．2．3目標BLER＝10−3
【０３５６】
【表１１３】
2021510988.tif 000136
【０３５７】
調整された表は表114である。
【０３５８】
【表１１４】
2021510988.tif 000137
【０３５９】
4．2．4目標BLER＝10−4
【０３６０】
【表１１５】
2021510988.tif 000138
【０３６１】
調整された表は表116である。
【０３６２】
【表１１６】
2021510988.tif 000139
【０３６３】
4．2．5目標BLER＝10−5
【０３６４】
【表１１７】
2021510988.tif 000140
【０３６５】
調整された表は表118である。
【０３６６】
【表１１８】
2021510988.tif 000141
【０３６７】
4．2．6目標BLER＝10−6
【０３６８】
【表１１９】
2021510988.tif 000142
【０３６９】
調整された表は表120である。
【０３７０】
【表１２０】
2021510988.tif 000143
【０３７１】
4．3最小コードレートの制限はない、及び、最大コードレートRmax＝2／3
【０３７２】
4．3．1目標BLER＝10−1
【０３７３】
【表１２１】
2021510988.tif 000144
【０３７４】
調整された表は表122である。
【０３７５】
【表１２２】
2021510988.tif 000145
【０３７６】
4．3．2目標BLER＝10−2
【０３７７】
【表１２３】
2021510988.tif 000146
【０３７８】
調整された表は表124である。
【０３７９】
【表１２４】
2021510988.tif 000147
【０３８０】
4．3．3目標BLER＝10−3
【０３８１】
【表１２５】
2021510988.tif 000148
【０３８２】
調整された表は表126である。
【０３８３】
【表１２６】
2021510988.tif 000149
【０３８４】
4．3．4目標BLER＝10−4
【０３８５】
【表１２７】
2021510988.tif 000150
【０３８６】
調整された表は表128である。
【０３８７】
【表１２８】
2021510988.tif 000151
【０３８８】
4．3．5目標BLER＝10−5
【０３８９】
【表１２９】
2021510988.tif 000152
【０３９０】
調整された表は表130である。
【０３９１】
【表１３０】
2021510988.tif 000153
【０３９２】
4．3．6目標BLER＝10−6
【０３９３】
【表１３１】
2021510988.tif 000154
【０３９４】
調整された表は表132である。
【０３９５】
【表１３２】
2021510988.tif 000155
【０３９６】
4．4最小コードレートRmin＝40／1024、及び、最大コードレートRmax＝2／3
【０３９７】
4．4．1目標BLER＝10−1
【０３９８】
【表１３３】
2021510988.tif 000156
【０３９９】
調整された表は表134である。
【０４００】
【表１３４】
2021510988.tif 000157
【０４０１】
4．4．2目標BLER＝10−2
【０４０２】
【表１３５】
2021510988.tif 000158
【０４０３】
調整された表は表136である。
【０４０４】
【表１３６】
2021510988.tif 000159
【０４０５】
4．4．3目標BLER＝10−3
【０４０６】
【表１３７】
2021510988.tif 000160
【０４０７】
調整された表は表138である。
【０４０８】
【表１３８】
2021510988.tif 000161
【０４０９】
調整された表は表139である。
【０４１０】
【表１３９】
2021510988.tif 000162
【０４１１】
調整された表は表140である。
【０４１２】
【表１４０】
2021510988.tif 000163
【０４１３】
4．4．4目標BLER＝10−4
【０４１４】
【表１４１】
2021510988.tif 000164
【０４１５】
調整された表は表142である。
【０４１６】
【表１４２】
2021510988.tif 000165
【０４１７】
4．4．5目標BLER＝10−5
【０４１８】
【表１４３】
2021510988.tif 000166
【０４１９】
調整された表は表144である。
【０４２０】
【表１４４】
2021510988.tif 000167
【０４２１】
4．4．6目標BLER＝10−6
【０４２２】
【表１４５】
2021510988.tif 000168
【０４２３】
調整された表は表146である。
【０４２４】
【表１４６】
2021510988.tif 000169
【０４２５】
5．コーディングスキームは、LDPC BG2、LDPC BG1、及び、ポーラーコードを含む。
【０４２６】
この節は、エンジニアリング使用のためにマッピング表に対する幾つかの調整も可能にし、例えば、QPSKのためにポーラーコードが使用され、16QAMのためにLDPC BG2が使用され、64QAMのためにLDPC BG1が使用される。
【０４２７】
5．1コードレートの制限はない
【０４２８】
5．1．1目標BLER＝10−1
【０４２９】
【表１４７】
2021510988.tif 000170
【０４３０】
調整された表は表148である。
【０４３１】
【表１４８】
2021510988.tif 000171
【０４３２】
5．1．2目標BLER＝10−2
【０４３３】
【表１４９】
2021510988.tif 000172
【０４３４】
調整された表は表150である。
【０４３５】
【表１５０】
2021510988.tif 000173
【０４３６】
5．1．3目標BLER＝10−3
【０４３７】
【表１５１】
2021510988.tif 000174
【０４３８】
調整された表は表152である。
【０４３９】
【表１５２】
2021510988.tif 000175
【０４４０】
5．1．4目標BLER＝10−4
【０４４１】
【表１５３】
2021510988.tif 000176
【０４４２】
調整された表は表154である。
【０４４３】
【表１５４】
2021510988.tif 000177
【０４４４】
5．1．5目標BLER＝10−5
【０４４５】
【表１５５】
2021510988.tif 000178
【０４４６】
調整後の表は表156である。
【０４４７】
【表１５６】
2021510988.tif 000179
【０４４８】
5．1．6目標BLER＝10−6
【０４４９】
【表１５７】
2021510988.tif 000180
【０４５０】
調整された表は表158である。
【０４５１】
【表１５８】
2021510988.tif 000181
【０４５２】
5．2最小コードレートRmin＝40／1024、及び、最大コードレートの制限はない
【０４５３】
5．2．1目標BLER＝10−1
【０４５４】
【表１５９】
2021510988.tif 000182
【０４５５】
調整された表は表160である。
【０４５６】
【表１６０】
2021510988.tif 000183
【０４５７】
5．2．2目標BLER＝10−2
【０４５８】
【表１６１】
2021510988.tif 000184
【０４５９】
調整された表は表162である。
【０４６０】
【表１６２】
2021510988.tif 000185
【０４６１】
5．2．3目標BLER＝10−3
【０４６２】
【表１６３】
2021510988.tif 000186
【０４６３】
調整された表は表164である。
【０４６４】
【表１６４】
2021510988.tif 000187
【０４６５】
5．2．4目標BLER＝10−4
【０４６６】
【表１６５】
2021510988.tif 000188
【０４６７】
調整された表は表166である。
【０４６８】
【表１６６】
2021510988.tif 000189
【０４６９】
5．2．5目標BLER＝10−5
【０４７０】
【表１６７】
2021510988.tif 000190
【０４７１】
調整された表は表168である。
【０４７２】
【表１６８】
2021510988.tif 000191
【０４７３】
5．2．6目標BLER＝10−6
【０４７４】
【表１６９】
2021510988.tif 000192
【０４７５】
調整された表は表170である。
【０４７６】
【表１７０】
2021510988.tif 000193
【０４７７】
5．3最小コードレートの制限はない、及び、最大コードレートRmax＝2／3
【０４７８】
5．3．1目標BLER＝10−1
【０４７９】
【表１７１】
2021510988.tif 000194
【０４８０】
調整された表は表172である。
【０４８１】
【表１７２】
2021510988.tif 000195
【０４８２】
5．3．2目標BLER＝10−2
【０４８３】
【表１７３】
2021510988.tif 000196
【０４８４】
調整された表は表174である。
【０４８５】
【表１７４】
2021510988.tif 000197
【０４８６】
5．3．3目標BLER＝10−3
【０４８７】
【表１７５】
2021510988.tif 000198
【０４８８】
調整された表は表176である。
【０４８９】
【表１７６】
2021510988.tif 000199
【０４９０】
5．3．4目標BLER＝10−4
【０４９１】
【表１７７】
2021510988.tif 000200
【０４９２】
調整された表は表178である。
【０４９３】
【表１７８】
2021510988.tif 000201
【０４９４】
5．3．5目標BLER＝10−5
【０４９５】
【表１７９】
2021510988.tif 000202
【０４９６】
調整された表は表180である。
【０４９７】
【表１８０】
2021510988.tif 000203
【０４９８】
5．3．6目標BLER＝10−6
【０４９９】
【表１８１】
2021510988.tif 000204
【０５００】
調整された表は表182である。
【０５０１】
【表１８２】
2021510988.tif 000205
【０５０２】
5．4最小コードレートRmin＝40／1024、及び、最大コードレートRmax＝2／3
【０５０３】
5．4．1目標BLER＝10−1
【０５０４】
【表１８３】
2021510988.tif 000206
【０５０５】
調整された表は表184である。
【０５０６】
【表１８４】
2021510988.tif 000207
【０５０７】
5．4．2目標BLER＝10−2
【０５０８】
【表１８５】
2021510988.tif 000208
【０５０９】
調整された表は表186である。
【０５１０】
【表１８６】
2021510988.tif 000209
【０５１１】
5．4．3目標BLER＝10−3
【０５１２】
【表１８７】
2021510988.tif 000210
【０５１３】
調整された表は表188である。
【０５１４】
【表１８８】
2021510988.tif 000211
【０５１５】
5．4．4目標BLER＝10−4
【０５１６】
【表１８９】
2021510988.tif 000212
【０５１７】
調整された表は表190である。
【０５１８】
【表１９０】
2021510988.tif 000213
【０５１９】
5．4．5目標BLER＝10−5
【０５２０】
【表１９１】
2021510988.tif 000214
【０５２１】
調整された表は表192である。
【０５２２】
【表１９２】
2021510988.tif 000215
【０５２３】
5．4．6目標BLER＝10−6
【０５２４】
【表１９３】
2021510988.tif 000216
【０５２５】
調整された表は表194である。
【０５２６】
【表１９４】
2021510988.tif 000217
【０５２７】
以上は、この出願で与えられるCQI表を詳細に説明する。以下は、CQI表の他の設計アイデアを与える。
【０５２８】
URLLCシナリオにおけるCQI表の設計の複雑さを軽減するために、eMBBシナリオにおけるCQI表ができるだけ多く再利用されてもよい。
【０５２９】
具体的には、URLLCシナリオはより高いデータ送信の信頼性を必要とするため、この出願のこの実施形態では、eMBBシナリオにおけるCQI表中の最も高いCQIインデックスを伴うN個のエントリ（以下、インデックスと称される）が削除され、より低いコードレートを伴うN個のエントリがエントリindex＝0とindex＝1との間に加えられる。以下は、N＝1、2、3を伴う3つのシナリオにおけるCQI表の想定し得る設計を与える。
【０５３０】
（1）目標BLER＝10−1
【０５３１】
CQIインデックスとコードレート、スペクトル効率、又は、変調次数との間の任意のマッピング関係が表195、表196、又は、表197に示されてもよい。
【０５３２】
【表１９５】
2021510988.tif 000218
【０５３３】
【表１９６】
2021510988.tif 000219
【０５３４】
【表１９７】
2021510988.tif 000220
【０５３５】
（2）目標BLER＝10−2
【０５３６】
CQIインデックスとコードレート、スペクトル効率、又は、変調次数との間の任意のマッピング関係が表198、表199、表200、又は、表201に示されてもよい。
【０５３７】
【表１９８】
2021510988.tif 000221
【０５３８】
【表１９９】
2021510988.tif 000222
【０５３９】
【表２００】
2021510988.tif 000223
【０５４０】
【表２０１】
2021510988.tif 000224
【０５４１】
（3）目標BLER＝10−3
【０５４２】
CQIインデックスとコードレート、スペクトル効率、又は、変調次数との間の任意のマッピング関係が表202、表203、表204、又は、表205に示されてもよい。
【０５４３】
【表２０２】
2021510988.tif 000225
【０５４４】
【表２０３】
2021510988.tif 000226
【０５４５】
【表２０４】
2021510988.tif 000227
【０５４６】
【表２０５】
2021510988.tif 000228
【０５４７】
（4）目標BLER＝10−4
【０５４８】
CQIインデックスとコードレート、スペクトル効率、又は、変調次数との間の任意のマッピング関係が表206、表207、表208、又は、表209に示されてもよい。
【０５４９】
【表２０６】
2021510988.tif 000229
【０５５０】
【表２０７】
2021510988.tif 000230
【０５５１】
【表２０８】
2021510988.tif 000231
【０５５２】
【表２０９】
2021510988.tif 000232
【０５５３】
（5）目標BLER＝10−5
【０５５４】
CQIインデックスとコードレート、スペクトル効率、又は、変調次数との間のマッピング関係が表210、表211、表212、又は、表213に示されてもよい。
【０５５５】
【表２１０】
2021510988.tif 000233
【０５５６】
【表２１１】
2021510988.tif 000234
【０５５７】
【表２１２】
2021510988.tif 000235
【０５５８】
【表２１３】
2021510988.tif 000236
【０５５９】
（6）目標BLER＝10−6
【０５６０】
CQIインデックスとコードレート、スペクトル効率、又は、変調次数との間の任意のマッピング関係が表214、表215、表216、又は、表217中の任意の行に示されてもよい。
【０５６１】
【表２１４】
2021510988.tif 000237
【０５６２】
【表２１５】
2021510988.tif 000238
【０５６３】
【表２１６】
2021510988.tif 000239
【０５６４】
【表２１７】
2021510988.tif 000240
【０５６５】
以下は、CQI表の他の想定し得る設計についてさらに説明する。
【０５６６】
（7）目標BLER＝10−1
【０５６７】
CQIインデックスとコードレート、スペクトル効率、又は、変調次数との間の任意のマッピング関係が表218に示されてもよい。
【０５６８】
【表２１８】
2021510988.tif 000241
【０５６９】
（8）目標BLER＝10−2
【０５７０】
CQIインデックスとコードレート、スペクトル効率、又は、変調次数との間の任意のマッピング関係が表219に示されてもよい。
【０５７１】
【表２１９】
2021510988.tif 000242
【０５７２】
（9）目標BLER＝10−3
【０５７３】
CQIインデックスとコードレート、スペクトル効率、又は、変調次数との間の任意のマッピング関係が表220に示されてもよい。
【０５７４】
【表２２０】
2021510988.tif 000243
【０５７５】
（10）目標BLER＝10−4
【０５７６】
CQIインデックスとコードレート、スペクトル効率、又は、変調次数との間の任意のマッピング関係が表221に示されてもよい。
【０５７７】
【表２２１】
2021510988.tif 000244
【０５７８】
（11）目標BLER＝10−5
【０５７９】
CQIインデックスとコードレート、スペクトル効率、又は、変調次数との間の任意のマッピング関係が表222に示されてもよい。
【０５８０】
【表２２２】
2021510988.tif 000245
【０５８１】
（12）目標BLER＝10−6
【０５８２】
CQIインデックスとコードレート、スペクトル効率、又は、変調次数との間の任意のマッピング関係が表223に示されてもよい。
【０５８３】
【表２２３】
2021510988.tif 000246
【０５８４】
以下は、CQI表の他の設計アイデアを与える。他の目標BLERに対応するCQI表は、目標BLER＝10−5のそれと同じ信号対雑音比ポイントを使用することによって生成される。ここでは一例として目標BLER＝10−3が使用され、また、LDPC BG2がチャネルコーディングのために使用される場合、想定し得るCQI表は表224である。
【０５８５】
【表２２４】
2021510988.tif 000247
【０５８６】
同様に、目標BLER＝10−3が一例として使用され、また、ポーラーコード及びLDPC BG2がチャネルコーディングのために使用される場合、想定し得るCQI表は表225である。
【０５８７】
【表２２５】
2021510988.tif 000248
【０５８８】
以下は、CQI表の他の設計アイデアを与える。5G標準におけるeMBBシナリオでのCQI表中の最も高いコードレートが948であることを考慮して、URLLCシナリオで使用されるCQI表の最も高いコードレートが948に制限されてもよく、また、異なる目標BLERがCQI表の同じ信号対雑音比範囲に対応することを考慮して、対応するCQI表が生成される。LDPC BG2のみがチャネルコーディングのために使用され、ポーラーコードコード及びLDPC BG2の両方がチャネルコーディングのために使用される例を使用することにより、以下は、目標BLERが10−3及び10−5である場合の想定し得るCQI表設計を与える。
【０５８９】
（1）LDPC BG2がチャネルコーディングのために使用される。
【０５９０】
目標BLERが10−3である場合、想定し得るCQI表は表226である。
【０５９１】
【表２２６】
2021510988.tif 000249
【０５９２】
目標BLERが10−5の場合、想定し得るCQI表は表227である。
【０５９３】
【表２２７】
2021510988.tif 000250
【０５９４】
（2）ポーラーコード及びLDPC BG2がチャネルコーディングのために使用される。
【０５９５】
目標BLERが10−3の場合、想定し得るCQI表は表228である。
【０５９６】
【表２２８】
2021510988.tif 000251
【０５９７】
目標BLERが10−5の場合、想定し得るCQI表は表229である。
【０５９８】
【表２２９】
2021510988.tif 000252
【０５９９】
先に示されたマッピング表中のCQIインデックスとスペクトル効率、コードレート、効率、又は、コーディングスキームとの間の任意のマッピング関係は、先の表に示される全てのマッピング関係を満たしてもよく、或いは、表中の幾つかのマッピング関係のみを満たしてもよい。例えば、マッピング表の最初の列中のCQIインデックスと他の列中のパラメータとの間のマッピング関係は、行中に示されるマッピング関係又は幾つかの行中のマッピング関係のみを満たしてもよく、或いは、表全体における各行中に示されるマッピング関係を満たしてもよい。他の例の場合、上記の表の行から、CQIインデックスと行中の1つの列又は幾つかの列のみとの間のマッピング関係が表に示されてもよい。これは、この出願のこの実施形態では限定されない。
【０６００】
以上は、この出願のこの実施形態におけるデータ送信方法を詳細に説明する。この出願のこの実施形態で与えられるデータ送信方法によれば、データ送信の信頼性が向上されることができる。
【０６０１】
さらに、この出願のこの実施形態における複数のマッピング表（又はCQI表と称される）は、異なる信頼性要件を満たしてもよい。簡単で実現可能な解決策は、BLER要件が異なる使用ケースに関して与えられ、例えば、NRにおけるURLLCシナリオでの異なる使用ケースに適用されてもよい。
【０６０２】
以下は、図3〜図6に関連するこの出願の実施形態におけるデータ送信装置について説明する。
【０６０３】
図3は、この出願の一実施形態に係るデータ送信装置300の概略ブロック図である。装置300は、主に、処理ユニット310及びトランシーバユニット320を含む。
【０６０４】
処理ユニット310は、変調次数、コードレート、又は、スペクトル効率を取得して、取得された変調次数、コードレート、又は、スペクトル効率に基づいて、事前に記憶されたマッピング表から基準チャネル品質指標CQIのインデックスを選択するように構成され、この場合、マッピング表は、CQIインデックスと変調次数、コードレート、又は、スペクトル効率との間のマッピング関係を含む。
【０６０５】
トランシーバユニット320は、第1の指示情報をネットワークデバイスに送信するように構成され、この場合、第1の指示情報は、基準CQIのインデックスを示すために使用される。
【０６０６】
トランシーバユニット320は、ネットワークデバイスから第2の指示情報を受信するようにさらに構成され、この場合、第2の指示情報は、目標チャネル品質指標CQIのインデックスを示すために使用される。
【０６０７】
処理ユニット310は、目標CQIのインデックスに基づいてマッピング表から、目標CQIに対応する変調次数、コードレート、及び、コーディングスキームのうちの少なくとも1つを決定するようにさらに構成される。
【０６０８】
この出願のこの実施形態における装置300のユニットの前述の及び他の動作又は機能は、この出願の実施形態において端末デバイスによって実行される対応する動作及び／又は手順を実施するために使用される。簡潔にするために、ここでは詳細は記載されない。
【０６０９】
図4は、この出願の一実施形態に係る端末デバイス400の概略構造図である。図4に示されるように、端末デバイス400は、1つ以上のプロセッサ401、1つ以上のメモリ402、及び、1つ以上のトランシーバ403を含む。プロセッサ401は、信号を送受信するべくトランシーバ403を制御するように構成され、また、メモリ402は、コンピュータプログラムを記憶するように構成される。プロセッサ401は、メモリ402からコンピュータプログラムを呼び出して、コンピュータプログラムを実行するように構成され、それにより、端末デバイス400は、この出願の実施形態において端末デバイスにより実行される対応する手順及び／又は動作を実行する。メモリ402及びトランシーバ403は、バス又はインタフェースを使用することによって結合されてもよく、又は、互いに一体化されてもよく、詳細は本明細書中では説明されない。
【０６１０】
なお、図3に示される装置300は、図4に示される端末デバイス400によって実装されてもよい。例えば、処理ユニット310がプロセッサ401によって実装されてもよく、トランシーバユニット320がトランシーバ403によって実装されてもよい。
【０６１１】
さらに、この出願はコンピュータ可読記憶媒体を提供する。コンピュータ可読記憶媒体はコンピュータ命令を記憶し、また、コンピュータ命令がコンピュータ上で実行されるときに、コンピュータは、データ送信方法において端末デバイスによって実行される対応する動作及び／又は手順を実行する。
【０６１２】
この出願はコンピュータプログラムプロダクトをさらに提供し、また、コンピュータプログラムプロダクトはコンピュータプログラムコードを含む。コンピュータプログラムコードがコンピュータ上で実行されるときに、コンピュータは、データ送信方法において端末デバイスによって実行される対応する動作及び／又は手順を実行する。
【０６１３】
この出願は、メモリとプロセッサとを含むチップ（又はチップシステム）をさらに提供する。メモリはコンピュータプログラムを記憶するように構成され、また、プロセッサは、メモリからコンピュータプログラムを呼び出してコンピュータプログラムを実行するように構成され、それにより、チップが組み込まれる通信デバイスは、データ送信方法において端末デバイスによって実行される対応する動作及び／又は手順を実行する。メモリ及びトランシーバは、バスを使用することによって結合されてもよく、又は、互いに一体化されてもよい。
【０６１４】
本明細書中の通信デバイスが端末デバイスであってもよい。
【０６１５】
図5は、この出願の一実施形態に係るデータ送信装置500の概略ブロック図である。装置500は、主に、処理ユニット510及びトランシーバユニット520を含む。
【０６１６】
処理ユニット510は、データを送信するために使用される必要がある変調次数、コードレート、又は、スペクトル効率を決定して、決定された変調次数、コードレート、又は、スペクトル効率に基づいて事前に記憶されたマッピング表から目標CQIのインデックスを選択するように構成され、この場合、マッピング表は、CQIインデックスと変調次数、コードレート、又は、スペクトル効率との間のマッピング関係を含む。
【０６１７】
トランシーバユニット520は、第2の指示情報を端末デバイスに送信するように構成され、この場合、第2の指示情報は、目標CQIのインデックスを示すために使用される。
【０６１８】
この出願のこの実施形態における装置500のユニットの前述の及び他の動作又は機能は、この出願の実施形態においてネットワークデバイスによって実行される対応する動作及び／又は手順を実施するために使用される。簡潔にするために、ここでは詳細は記載されない。
【０６１９】
随意的に、装置500はチップ又は集積回路であってもよい。
【０６２０】
図6は、この出願の一実施形態に係るネットワークデバイス600の概略構造図である。図6に示されるように、ネットワークデバイス600は、1つ以上のプロセッサ601、1つ以上のメモリ602、及び、1つ以上のトランシーバ603を含む。プロセッサ601は、信号を送受信するべくトランシーバ603を制御するように構成され、また、メモリ602は、コンピュータプログラムを記憶するように構成される。プロセッサ601は、メモリ602からコンピュータプログラムを呼び出して、コンピュータプログラムを実行するように構成され、それにより、ネットワークデバイス600は、この出願の実施形態においてネットワークデバイスにより実行される対応する手順及び／又は動作を実行する。メモリ602及びトランシーバ603は、バス又はインタフェースを使用することによって結合されてもよく、又は、互いに一体化されてもよく、詳細は本明細書中では説明されない。
【０６２１】
なお、図5に示される装置500は、図6に示される端末デバイス600によって実装されてもよい。例えば、処理ユニット510は、プロセッサ601によって実装されてもよい。トランシーバユニット520は、トランシーバ603によって実装されてもよい。
【０６２２】
さらに、この出願はコンピュータ可読記憶媒体を提供する。コンピュータ可読記憶媒体はコンピュータ命令を記憶し、また、コンピュータ命令がコンピュータ上で実行されるときに、コンピュータは、データ送信方法においてネットワークデバイスによって実行される対応する動作及び／又は手順を実行する。
【０６２３】
この出願はコンピュータプログラムプロダクトをさらに提供し、また、コンピュータプログラムプロダクトはコンピュータプログラムコードを含む。コンピュータプログラムコードがコンピュータ上で実行されるときに、コンピュータは、データ送信方法においてネットワークデバイスによって実行される対応する動作及び／又は手順を実行する。
【０６２４】
この出願は、メモリとプロセッサとを含むチップ（又はチップシステム）をさらに提供する。メモリはコンピュータプログラムを記憶するように構成され、また、プロセッサは、メモリからコンピュータプログラムを呼び出してコンピュータプログラムを実行するように構成され、それにより、チップが組み込まれる通信デバイスは、データ送信方法においてネットワークデバイスによって実行される対応する動作及び／又は手順を実行する。メモリ及びトランシーバは、バスを使用することによって結合されてもよく、又は、互いに一体化されてもよい。
【０６２５】
前述の実施形態において、プロセッサは、中央処理ユニット（Central Processing Unit，CPU）、汎用プロセッサ、デジタル信号プロセッサ（digital signal processor，DSP）、特定用途向け集積回路（application−specific integrated circuit，ASIC）、フィールドプログラマブルゲートアレイ（field programmable gate array，FPGA）又は他のプログラマブルロジックデバイス、ディスクリートゲート又はトランジスタロジックデバイス、ディスクリートハードウェアコンポーネント、マイクロプロセッサ、この出願の解決策におけるプログラム実行を制御するように構成される1つ以上の集積回路などであってもよい。例えば、プロセッサは、デジタル信号プロセッサデバイス、マイクロプロセッサデバイス、アナログ−デジタル変換器、及び、デジタル−アナログ変換器を含んでもよい。プロセッサは、デバイスのそれぞれの機能に基づいて、これらのデバイス間でモバイルデバイスの制御及び信号処理機能を割り当ててもよい。また、プロセッサは、1つ以上のソフトウェアプログラムを動作させるための機能を含んでもよく、また、ソフトウェアプログラムがメモリに記憶されてもよい。プロセッサの機能は、ハードウェアにより実装されてもよく、或いは、ハードウェアにより対応するソフトウェアを実行することによって実装されてもよい。ハードウェア又はソフトウェアは、前述の機能に対応する1つ以上のユニットを含む。
【０６２６】
メモリは、リード・オンリー・メモリ（Read−Only Memory，ROM）又は静的情報と静的命令とを記憶できる他のタイプの静的記憶デバイス、或いは、ランダム・アクセス・メモリ（Random Access Memory，RAM）又は情報及び命令を記憶できる他のタイプの動的記憶デバイスであってもよく、或いは、電気的に消去可能なプログラム可能リード・オンリー・メモリ（Electrically Erasable Programmable Read−Only Memory，EEPROM）、コンパクト・ディスク・リード・オンリー・メモリ（Compact Disc Read−Only Memory，CD−ROM）又は他のコンパクトディスクストレージ、光ディスクストレージ（コンパクトディスク、レーザーディスク(登録商標)、光ディスク、デジタル多用途ディスク、ブルーレイディスクなどを含む）、ディスク記憶媒体又は他の磁気記憶デバイス、或いは、命令又はデータ構造形式を有する予期されるプログラムコードを運ぶ又は記憶するために使用され得るとともにコンピュータによってアクセスされ得る任意の他の媒体であってもよい。しかしながら、これは本明細書中では限定されない。
【０６２７】
機能がソフトウェア機能ユニットの形態で実装されるとともに独立した製品として販売され或いは使用される場合には、機能がコンピュータ可読記憶媒体に記憶されてもよい。そのような理解に基づき、本質的にこの出願の技術的解決策、又は、従来技術に寄与する部分、又は、技術的解決策の一部は、ソフトウェアプロダクトの形態で実施されてもよい。コンピュータソフトウェアプロダクトは、記憶媒体に記憶されるとともに、この出願の実施形態に記載される方法のステップの全部又は一部を実行するようにコンピュータデバイス（パーソナルコンピュータ、サーバ、ネットワークデバイス等であってもよい）に指示するための幾つかの命令を含む。前述の記憶媒体は、プログラムコードを記憶できる任意の媒体、例えば、USBフラッシュドライブ、除去可能なハードディスク、リード・オンリー・メモリ（Read−Only Memory，ROM）、ランダム・アクセス・メモリ（Random Access Memory，RAM）、磁気ディスク、又は、光ディスクを含む。
【０６２８】
前述の説明は、単にこの出願の特定の実施態様にすぎず、この出願の保護範囲を限定しようとするものではない。この出願に開示される技術的範囲内で当業者により容易に考え出されるいかなる変形も置換も、この出願の保護範囲内に入るものとする。したがって、この出願の保護範囲は、特許請求項の保護範囲によって決まるものとする。
【符号の説明】
【０６２９】
100  無線通信システム
101  ネットワークデバイス
102,103  端末デバイス
300  データ送信装置
310  処理ユニット
320  トランシーバユニット
400  端末デバイス
401  プロセッサ
402  メモリ
403  トランシーバ
500  データ送信装置
510  処理ユニット
520  トランシーバユニット
600  ネットワークデバイス
601  プロセッサ
602  メモリ
603  トランシーバ
【図１】
2021510988.tif 000253
【図２】
2021510988.tif 000254
【図３】
2021510988.tif 000255
【図４】
2021510988.tif 000256
【図５】
2021510988.tif 000257
【図６】
2021510988.tif 000258
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
チャネル品質指標（CQI）を送信するための方法であって、前記方法は、
端末デバイスにより、変調次数、コードレート、又は、スペクトル効率を取得するステップと、
前記端末デバイスにより、前記取得された変調次数、コードレート、又は、スペクトル効率に基づき、マッピング表から基準CQIのインデックスを決定するステップであって、前記マッピング表が、CQIインデックスと変調次数、コードレート、又は、スペクトル効率との間のマッピング関係を含む、ことを特徴とするステップと、
前記端末デバイスにより、前記基準CQIの前記インデックスをネットワークデバイスに報告するステップと
を含む方法。
【請求項２】
前記端末デバイスにより、前記基準CQIの前記インデックスをネットワークデバイスに報告する前記ステップは、
前記端末デバイスにより、4ビットを使用することによって前記基準CQIの前記インデックスを前記ネットワークデバイスに報告することを含む請求項1に記載の方法。
【請求項３】
チャネル品質指標（CQI）を受信するための方法であって、前記方法は、
端末デバイスにより、ネットワークデバイスから指示情報を受信するステップであって、前記指示情報が目標CQIのインデックスを示すために使用される、ことを特徴とするステップと、
前記端末デバイスにより、前記目標CQIの前記インデックスに基づくマッピング表から、前記目標CQIに対応する変調次数、コードレート、又は、スペクトル効率を決定するステップであって、前記マッピング表が、CQIインデックスと変調次数、コードレート、又は、スペクトル効率との間のマッピング関係を含む、ステップと、
前記端末デバイスにより、前記決定された変調次数、コードレート、又は、スペクトル効率に基づいてアップリンク又はダウンリンクデータを処理するステップと、
を含む方法。
【請求項４】
端末デバイスにより、ネットワークデバイスから指示情報を受信する前記ステップは、
前記端末デバイスにより、4ビットを使用することによって前記ネットワークデバイスから前記目標CQIの前記インデックスを受信することを含む請求項3に記載の方法。
【請求項５】
チャネル品質指標（CQI）を送信するための方法であって、前記方法は、
ネットワークデバイスにより、データを送信するために前記ネットワークデバイスにより使用される又はデータを送信するために端末デバイスにより使用される必要がある変調次数、コードレート、又は、スペクトル効率を決定するステップと、
前記ネットワークデバイスにより、前記決定された変調次数、コードレート、又は、スペクトル効率に基づいてマッピング表から目標CQIのインデックスを決定するステップであって、前記マッピング表が、CQIインデックスと変調次数、コードレート、又は、スペクトル効率との間のマッピング関係を含む、ステップと、
前記ネットワークデバイスにより、指示情報を前記端末デバイスに送信するステップであって、前記指示情報が前記目標CQIの前記インデックスを示すために使用される、ステップと、
を含む方法。
【請求項６】
前記マッピング表は、
前記マッピング表中のCQIインデックスが、変調次数2、コードレート30、及び、スペクトル効率0．0586に対応し、実際のコードレートが、前記コードレート30を1024で除算することによって取得される、又は、
前記マッピング表中のCQIインデックスが、変調次数2、コードレート50、及び、スペクトル効率0．0977に対応し、実際のコードレートが、前記コードレート50を1024で除算することによって取得される、
マッピング関係のうちの１つ以上を含む、請求項１から５のいずれか一項に記載の方法。
【請求項７】
前記方法が超信頼度・低遅延通信URLLCに適用される、請求項1から６のいずれか一項に記載の方法。
【請求項８】
前記マッピング表は、CQIインデックスとコーディングスキームとの間の1つ以上のマッピング関係をさらに含む、請求項1から7のいずれか一項に記載の方法。
【請求項９】
チャネル品質指標（CQI）を送信するための端末デバイスであって、前記端末デバイスは、
変調次数、コードレート、又は、スペクトル効率を取得するように構成される処理ユニットであって、前記処理ユニットが、前記取得された変調次数、コードレート、又は、スペクトル効率に基づき、マッピング表から基準CQIのインデックスを決定するようにさらに構成され、前記マッピング表が、CQIインデックスと変調次数、コードレート、又は、スペクトル効率との間のマッピング関係を含む、処理ユニットと、
前記基準CQIの前記インデックスをネットワークデバイスに報告するように構成されるトランシーバユニットと、
を備える端末デバイス。
【請求項１０】
前記トランシーバユニットは、4ビットを使用することによって前記基準CQIの前記インデックスを前記ネットワークデバイスに報告するように構成される、請求項9に記載の端末デバイス。
【請求項１１】
チャネル品質指標（CQI）を受信するための端末デバイスであって、前記端末デバイスは、
ネットワークデバイスから指示情報を受信するように構成されるトランシーバユニットであって、前記指示情報が目標CQIのインデックスを示すために使用される、トランシーバユニットと、
前記目標CQIの前記インデックスに基づくマッピング表から、前記目標CQIに対応する変調次数、コードレート、又は、スペクトル効率を決定するように構成される処理ユニットであって、前記マッピング表が、CQIインデックスと変調次数、コードレート、又は、スペクトル効率との間のマッピング関係を含む、処理ユニットと、
を備え、
前記処理ユニットは、前記決定された変調次数、コードレート、又は、スペクトル効率に基づいてアップリンク又はダウンリンクデータを処理するようにさらに構成される、
端末デバイス。
【請求項１２】
前記トランシーバユニットがネットワークデバイスから指示情報を受信することは、
前記トランシーバユニットが4ビットを使用することによって前記ネットワークデバイスから前記目標CQIの前記インデックスを受信することを含む、
請求項11に記載の端末デバイス。
【請求項１３】
前記マッピング表は、
前記マッピング表中のCQIインデックスが、変調次数2、コードレート30、又は、スペクトル効率0．0586に対応し、実際のコードレートが、前記コードレートの値30を1024で除算することによって取得される、又は、
前記マッピング表中のCQIインデックスが、変調次数2、コードレート50、又は、スペクトル効率0．0977に対応し、実際のコードレートが、前記コードレートの値50を1024で除算することによって取得される、
マッピング関係のうちの１つ以上を含む、請求項9から12のいずれか一項に記載の端末デバイス。
【請求項１４】
前記端末デバイスが超信頼度・低遅延通信URLLCに適用される、請求項9から13のいずれか一項に記載の端末デバイス。
【請求項１５】
前記マッピング表は、CQIインデックスとコーディングスキームとの間のマッピング関係をさらに含む、請求項9から14のいずれか一項に記載の端末デバイス。
【請求項１６】
チャネル品質指標（CQI）を送信するためのネットワークデバイスであって、
データを送信するために前記ネットワークデバイスにより使用される又はデータを送信するために端末デバイスにより使用される必要がある変調次数、コードレート、又は、スペクトル効率を決定するように構成される処理ユニットであって、前記処理ユニットが、前記決定された変調次数、コードレート、又は、スペクトル効率に基づいてマッピング表から目標CQIのインデックスを決定するようにさらに構成され、前記マッピング表が、CQIインデックスと変調次数、コードレート、又は、スペクトル効率との間のマッピング関係を含む、処理ユニットと、
指示情報を前記端末デバイスに送信するように構成されるトランシーバユニットであって、前記指示情報が前記目標CQIの前記インデックスを示すために使用される、トランシーバユニットと、
を備えるネットワークデバイス。
【請求項１７】
前記マッピング表は、
前記マッピング表中のCQIインデックスが、変調次数2、コードレート30、及び、スペクトル効率0.0586に対応し、実際のコードレートが、前記コードレート30を1024で除算することによって取得される、又は、
前記マッピング表中のCQIインデックスが、変調次数2、コードレート50、及び、スペクトル効率0.0977に対応し、実際のコードレートが、前記コードレート50を1024で除算することによって取得される、
マッピング関係のうちの１つ以上を含む、
請求項16に記載のネットワークデバイス。
【請求項１８】
前記トランシーバユニットは、4ビットを使用することによって前記目標CQIの前記インデックスを送信するように構成される、請求項16又は17に記載のネットワークデバイス。
【請求項１９】
前記ネットワークデバイスが超信頼度・低遅延通信URLLCに適用される、請求項16から18のいずれか一項に記載のネットワークデバイス。
【請求項２０】
前記処理ユニットは、ネットワークリソース状態に基づいて、データを送信するために前記ネットワークデバイスにより使用される又はデータを送信するために前記端末デバイスにより使用される必要がある前記変調次数、前記コードレート、又は、前記スペクトル効率を決定するように構成され、又は、前記処理ユニットは、前記端末デバイスによって報告される基準CQIのインデックスに関連して前記マッピング表から、前記基準CQIに対応する変調次数、コードレート、又は、スペクトル効率を決定する、請求項16から19のいずれか一項に記載のネットワークデバイス。
【請求項２１】
前記マッピング表は、CQIインデックスとコーディングスキームとの間のマッピング関係をさらに含む、請求項16から20のいずれか一項に記載のネットワークデバイス。
【請求項２２】
変調・コーディングスキーム（MCS）を送信するための方法であって、前記方法は、
端末デバイスにより、変調次数、コードレート、又は、スペクトル効率を取得するステップと、
前記端末デバイスにより、前記取得された変調次数、コードレート、又は、スペクトル効率に基づき、マッピング表から基準MCSのインデックスを決定するステップであって、前記マッピング表が、MCSインデックスと変調次数、コードレート、又は、スペクトル効率との間のマッピング関係を含む、ステップと、
前記端末デバイスにより、前記基準MCSの前記インデックスをネットワークデバイスに報告するステップと、
を含む方法。
【請求項２３】
変調・コーディングスキーム（MCS）を受信するための方法であって、前記方法は、
端末デバイスにより、ネットワークデバイスから指示情報を受信するステップであって、前記指示情報が目標MCSのインデックスを示すために使用される、ステップと、
前記端末デバイスにより、前記目標MCSの前記インデックスに基づくマッピング表から、前記目標MCSに対応する変調次数、コードレート、又は、スペクトル効率を決定するステップであって、前記マッピング表が、MCSインデックスと変調次数、コードレート、又は、スペクトル効率との間のマッピング関係を含む、ステップと、
前記端末デバイスにより、前記決定された変調次数、コードレート、又は、スペクトル効率に基づいてアップリンク又はダウンリンクデータを処理するステップと、
を含む方法。
【請求項２４】
変調・コーディングスキーム（MCS）を送信するための方法であって、前記方法は、
ネットワークデバイスにより、データを送信するために前記ネットワークデバイスにより使用される又はデータを送信するために端末デバイスにより使用される必要がある変調次数、コードレート、又は、スペクトル効率を決定するステップと、
前記ネットワークデバイスにより、前記決定された変調次数、コードレート、又は、スペクトル効率に基づいてマッピング表から目標MCSのインデックスを決定するステップであって、前記マッピング表が、MCSインデックスと変調次数、コードレート、又は、スペクトル効率との間のマッピング関係を含む、ステップと、
前記ネットワークデバイスにより、指示情報を前記端末デバイスに送信するステップであって、前記指示情報が前記目標MCSの前記インデックスを示すために使用される、ステップと、
を含む方法。
【請求項２５】
前記マッピング表は、
前記マッピング表中のMCSインデックスが、変調次数2、コードレート30、及び、スペクトル効率0．0586に対応し、実際のコードレートが、前記コードレート30を1024で除算することによって取得される、
前記マッピング表中のMCSインデックスが、変調次数2、コードレート50、及び、スペクトル効率0．0977に対応し、実際のコードレートが、前記コードレート50を1024で除算することによって取得される、
前記マッピング表中のMCSインデックスが、変調次数2、コードレート40、及び、スペクトル効率0．0781に対応し、実際のコードレートが、前記コードレート40を1024で除算することによって取得される、又は、
前記マッピング表中のMCSインデックスが、変調次数2、コードレート64、及び、スペクトル効率0．1250に対応し、実際のコードレートが、前記コードレート64を1024で除算することによって取得される、
マッピング関係のうちの１つ以上を含む、請求項22から24のいずれか一項に記載の方法。
【請求項２６】
前記方法が超信頼度・低遅延通信URLLCに適用される、請求項22から25のいずれか一項に記載の方法。
【請求項２７】
前記マッピング表がMCSインデックスとコーディングスキームとの間の1つ以上のマッピング関係をさらに含む、請求項22から26のいずれか一項に記載の方法。
【請求項２８】
変調・コーディングスキーム（MCS）を送信するための端末デバイスであって、前記端末デバイスは、
変調次数、コードレート、又は、スペクトル効率を取得するように構成される処理ユニットであって、前記処理ユニットが、前記取得された変調次数、コードレート、又は、スペクトル効率に基づき、マッピング表から基準MCSのインデックスを決定するようにさらに構成され、前記マッピング表が、MCSインデックスと変調次数、コードレート、又は、スペクトル効率との間のマッピング関係を含む、処理ユニットと、
前記基準MCSの前記インデックスをネットワークデバイスに報告するように構成されるトランシーバユニットと、
を備える端末デバイス。
【請求項２９】
変調・コーディングスキーム（MCS）を受信するための端末デバイスであって、前記端末デバイスは、
ネットワークデバイスから指示情報を受信するように構成されるトランシーバユニットであって、前記指示情報が目標MCSのインデックスを示すために使用される、トランシーバユニットと、
前記目標MCSの前記インデックスに基づくマッピング表から、前記目標MCSに対応する変調次数、コードレート、又は、スペクトル効率を決定するように構成される処理ユニットであって、前記マッピング表が、MCSインデックスと変調次数、コードレート、又は、スペクトル効率との間のマッピング関係を含む、処理ユニットと、
を備え、
前記処理ユニットは、前記決定された変調次数、コードレート、又は、スペクトル効率に基づいてアップリンク又はダウンリンクデータを処理するようにさらに構成される、
端末デバイス。
【請求項３０】
前記マッピング表は、
前記マッピング表中のMCSインデックスが、変調次数2、コードレート30、及び、スペクトル効率0.0586に対応し、実際のコードレートが、前記コードレート30を1024で除算することによって取得される、
前記マッピング表中のMCSインデックスが、変調次数2、コードレート50、及び、スペクトル効率0.0977に対応し、実際のコードレートが、前記コードレート50を1024で除算することによって取得される、
前記マッピング表中のMCSインデックスが、変調次数2、コードレート40、及び、スペクトル効率0.0781に対応し、実際のコードレートが、前記コードレート40を1024で除算することによって取得される、又は、
前記マッピング表中のMCSインデックスが、変調次数2、コードレート64、及び、スペクトル効率0.1250に対応し、実際のコードレートが、前記コードレート64を1024で除算することによって取得される、
マッピング関係のうちの１つ以上を含む、請求項28又は29に記載の端末デバイス。
【請求項３１】
前記端末デバイスが超信頼度・低遅延通信URLLCに適用される、請求項28から30のいずれか一項に記載の端末デバイス。
【請求項３２】
前記マッピング表は、MCSインデックスとコーディングスキームとの間の1つ以上のマッピング関係をさらに含む、請求項28から31のいずれか一項に記載の端末デバイス。
【請求項３３】
変調・コーディングスキーム（MCS）を送信するためのネットワークデバイスであって、
データを送信するために前記ネットワークデバイスにより使用される又はデータを送信するために端末デバイスにより使用される必要がある変調次数、コードレート、又は、スペクトル効率を決定するように構成される処理ユニットであって、前記処理ユニットが、前記決定された変調次数、コードレート、又は、スペクトル効率に基づいてマッピング表から目標MCSのインデックスを決定するようにさらに構成され、前記マッピング表が、MCSインデックスと変調次数、コードレート、又は、スペクトル効率との間のマッピング関係を含む、処理ユニットと、
指示情報を前記端末デバイスに送信するように構成されるトランシーバユニットであって、前記指示情報が前記目標MCSの前記インデックスを示すために使用される、トランシーバユニットと、
を備えるネットワークデバイス。
【請求項３４】
前記マッピング表は、
前記マッピング表中のMCSインデックスが、変調次数2、コードレート30、又は、スペクトル効率0.0586に対応し、実際のコードレートが、前記コードレート30を1024で除算することによって取得される、
前記マッピング表中のMCSインデックスが、変調次数2、コードレート50、又は、スペクトル効率0.0977に対応し、実際のコードレートが、前記コードレート50を1024で除算することによって取得される、
前記マッピング表中のMCSインデックスが、変調次数2、コードレート40、又は、スペクトル効率0.0781に対応し、実際のコードレートが、前記コードレート40を1024で除算することによって取得される、又は、
前記マッピング表中のMCSインデックスが、変調次数2、コードレート64、又は、スペクトル効率0.1250に対応し、実際のコードレートが、前記コードレート64を1024で除算することによって取得される、
マッピング関係のうちの１つ以上を含む、請求項33に記載のネットワークデバイス。
【請求項３５】
1つ以上のメモリと1つ以上のプロセッサとを備える通信デバイスであって、
前記メモリがコンピュータプログラムを記憶するように構成され、前記プロセッサは、前記メモリから前記コンピュータプログラムを呼び出して前記コンピュータプログラムを実行するように構成され、それにより、前記通信デバイスが請求項1から8のいずれか一項に記載の方法を実行し、又は、
前記メモリがコンピュータプログラムを記憶するように構成され、前記プロセッサは、前記メモリから前記コンピュータプログラムを呼び出して前記コンピュータプログラムを実行するように構成され、それにより、前記通信デバイスが請求項22から27のいずれか一項に記載の方法を実行する、
通信デバイス。
【請求項３６】
メモリとプロセッサとを備えるチップであって、
前記メモリがコンピュータプログラムを記憶するように構成され、前記プロセッサは、前記メモリから前記コンピュータプログラムを呼び出して前記コンピュータプログラムを実行するように構成され、それにより、前記チップが組み込まれる通信デバイスが請求項1から8のいずれか一項に記載の方法を実行し、
前記メモリがコンピュータプログラムを記憶するように構成され、前記プロセッサは、前記メモリから前記コンピュータプログラムを呼び出して前記コンピュータプログラムを実行するように構成され、それにより、前記チップが組み込まれる通信デバイスが請求項22から27のいずれか一項に記載の方法を実行する、
チップ。
【請求項３７】
コンピュータプログラムであって、
前記コンピュータプログラムがコンピュータプログラムコードを含み、前記コンピュータプログラムコードが実行されるときに、請求項1から8のいずれか一項に記載の方法が実行され、又は、
前記コンピュータプログラムがコンピュータプログラムコードを含み、前記コンピュータプログラムコードが実行されるときに、請求項22から27のいずれか一項に記載の方法が実行される、
コンピュータプログラム。
【手続補正３】
【補正対象書類名】明細書
【補正対象項目名】０００５
【補正方法】変更
【補正の内容】
【０００５】
第1の態様によれば、この出願はデータ送信方法を提供し、この場合、方法は、端末デバイスにより、変調次数、コードレート、又は、スペクトル効率を取得するステップと、端末デバイスにより、取得された変調次数、コードレート、又は、スペクトル効率に基づいて事前に記憶されたマッピング表から基準チャネル品質指標（CQI）のインデックスを選択するステップであって、マッピング表が、CQIインデックスと変調次数、コードレート、又は、スペクトル効率との間のマッピング関係を含む、ステップと、端末デバイスにより、第1の指示情報をネットワークデバイスに送信するステップであって、第1の指示情報が基準CQIのインデックスを示すために使用される、ステップと、端末デバイスにより、ネットワークデバイスから第2の指示情報を受信するステップであって、第2の指示情報が目標チャネル品質指標（CQI）のインデックスを示すために使用される、ステップと、目標CQIのインデックスに基づいてマッピング表から端末デバイスにより、目標CQIに対応する変調次数、コードレート、及び、コーディングスキームのうちの少なくとも1つを決定するステップとを含む。
【手続補正４】
【補正対象書類名】明細書
【補正対象項目名】０００９
【補正方法】変更
【補正の内容】
【０００９】
コーディングスキームは、データチャネルをコーディングするために使用されるコードである。随意的に、この出願のこの実施形態におけるコーディングスキームは、ポーラーコード（Polar code）、低密度パリティ検査（LDPC）BG2、及び、LDPC BG1を含んでもよい。具体的には、LDPC BG2は、ベースグラフBG2に基づいて取得されるLDPCコードを表わす。LDPC BG1は、ベースグラフBG1に基づいて取得されるLDPCコードを表わす。
【手続補正５】
【補正対象書類名】明細書
【補正対象項目名】００２８
【補正方法】変更
【補正の内容】
【００２８】
第3の態様によれば、この出願はデータ送信方法を提供し、この場合、方法は、端末デバイスにより、変調次数、コードレート、又は、スペクトル効率を取得するステップと、端末デバイスにより、取得された変調次数、コードレート、又は、スペクトル効率に基づき、事前に記憶されたマッピング表から基準チャネル品質指標（CQI）のインデックスを選択するステップであって、マッピング表が、CQIインデックスと変調次数、コードレート、又は、スペクトル効率との間のマッピング関係を含む、ステップと、端末デバイスにより、基準CQIのインデックスをネットワークデバイスに報告するステップとを含む。
【手続補正６】
【補正対象書類名】明細書
【補正対象項目名】００３０
【補正方法】変更
【補正の内容】
【００３０】
第4の態様によれば、チャネル品質指標（CQI）を受信するための方法が提供され、この場合、方法は、端末デバイスにより、ネットワークデバイスから指示情報を受信するステップであって、指示情報が目標CQIのインデックスを示すために使用される、ステップと、端末デバイスにより、目標CQIのインデックスに基づくマッピング表から、目標CQIに対応する変調次数、コードレート、又は、スペクトル効率を決定するステップであって、マッピング表が、CQIインデックスと変調次数、コードレート、又は、スペクトル効率との間のマッピング関係を含む、ステップと、端末デバイスにより、決定された変調次数、コードレート、又は、スペクトル効率に基づいてアップリンク又はダウンリンクデータを処理するステップとを含む。
【手続補正７】
【補正対象書類名】明細書
【補正対象項目名】００３２
【補正方法】変更
【補正の内容】
【００３２】
第5の態様によれば、チャネル品質指標（CQI）を送信するための方法が提供され、この場合、方法は、ネットワークデバイスにより、データを送信するためにネットワークデバイスにより使用される又はデータを送信するために端末デバイスにより使用される必要がある変調次数、コードレート、又は、スペクトル効率を決定するステップと、ネットワークデバイスにより、決定された変調次数、コードレート、又は、スペクトル効率に基づいて事前に記憶されたマッピング表から目標CQIのインデックスを選択するステップであって、マッピング表が、CQIインデックスと変調次数、コードレート、又は、スペクトル効率との間のマッピング関係を含む、ステップと、ネットワークデバイスにより、指示情報を端末デバイスに送信するステップであって、指示情報が目標CQIのインデックスを示すために使用される、ステップと、を含む。
【手続補正８】
【補正対象書類名】明細書
【補正対象項目名】００３５
【補正方法】変更
【補正の内容】
【００３５】
第6の態様によれば、チャネル品質指標（CQI）を送信するための端末デバイスが提供され、この場合、端末デバイスは、変調次数、コードレート、又は、スペクトル効率を取得するように構成される処理ユニットであって、処理ユニットが、取得された変調次数、コードレート、又は、スペクトル効率に基づき、事前に記憶されたマッピング表から基準CQIのインデックスを選択するようにさらに構成され、マッピング表が、CQIインデックスと変調次数、コードレート、又は、スペクトル効率との間のマッピング関係を含む、処理ユニットと、
基準CQIのインデックスをネットワークデバイスに報告するように構成されるトランシーバユニットと
を含む。
【手続補正９】
【補正対象書類名】明細書
【補正対象項目名】００３７
【補正方法】変更
【補正の内容】
【００３７】
第7の態様によれば、チャネル品質指標（CQI）を受信するための端末デバイスが提供され、この場合、端末デバイスは、
ネットワークデバイスから指示情報を受信するように構成されるトランシーバユニットであって、指示情報が目標CQIのインデックスを示すために使用される、トランシーバユニットと、目標CQIのインデックスに基づくマッピング表から、目標CQIに対応する変調次数、コードレート、又は、スペクトル効率を決定するように構成される処理ユニットであって、マッピング表が、CQIインデックスと変調次数、コードレート、又は、スペクトル効率との間のマッピング関係を含む、処理ユニットとを含み、処理ユニットは、決定された変調次数、コードレート、又は、スペクトル効率に基づいてアップリンク又はダウンリンクデータを処理するようにさらに構成される。
【手続補正１０】
【補正対象書類名】明細書
【補正対象項目名】００３８
【補正方法】変更
【補正の内容】
【００３８】
第8の態様によれば、チャネル品質指標（CQI）を送信するためのネットワークデバイスが提供され、この場合、ネットワークデバイスは、データを送信するためにネットワークデバイスにより使用される又はデータを送信するために端末デバイスにより使用される必要がある変調次数、コードレート、又は、スペクトル効率を決定するように構成される処理ユニットであって、処理ユニットが、決定された変調次数、コードレート、又は、スペクトル効率に基づいて事前に記憶されたマッピング表から目標CQIのインデックスを選択するようにさらに構成され、マッピング表が、CQIインデックスと変調次数、コードレート、又は、スペクトル効率との間のマッピング関係を含む、処理ユニットと、指示情報を端末デバイスに送信するように構成されるトランシーバユニットであって、指示情報が目標CQIのインデックスを示すために使用される、トランシーバユニットとを含む。
【手続補正１１】
【補正対象書類名】明細書
【補正対象項目名】００４２
【補正方法】変更
【補正の内容】
【００４２】
第2の態様〜第8の態様に関連して、想定し得る設計では、方法又はデバイスが超信頼度・低遅延通信（URLLC）に適用される。
【手続補正１２】
【補正対象書類名】明細書
【補正対象項目名】００４４
【補正方法】変更
【補正の内容】
【００４４】
第9の態様によれば、変調・コーディングスキーム（MCS）を送信するための方法が提供され、この場合、方法は、端末デバイスにより、変調次数、コードレート、又は、スペクトル効率を取得するステップと、端末デバイスにより、取得された変調次数、コードレート、又は、スペクトル効率に基づき、事前に記憶されたマッピング表から基準MCSのインデックスを選択するステップであって、マッピング表が、MCSインデックスと変調次数、コードレート、又は、スペクトル効率との間のマッピング関係を含む、ステップと、端末デバイスにより、基準MCSのインデックスをネットワークデバイスに報告するステップとを含む。
【手続補正１３】
【補正対象書類名】明細書
【補正対象項目名】００４５
【補正方法】変更
【補正の内容】
【００４５】
第10の態様によれば、変調・コーディングスキーム（MCS）を受信するための方法が提供され、この場合、方法は、端末デバイスにより、ネットワークデバイスから指示情報を受信するステップであって、指示情報が目標MCSのインデックスを示すために使用される、ステップと、端末デバイスにより、目標MCSのインデックスに基づくマッピング表から、目標MCSに対応する変調次数、コードレート、又は、スペクトル効率を決定するステップであって、マッピング表が、MCSインデックスと変調次数、コードレート、又は、スペクトル効率との間のマッピング関係を含む、ステップと、端末デバイスにより、決定された変調次数、コードレート、又は、スペクトル効率に基づいてアップリンク又はダウンリンクデータを処理するステップとを含む。
【手続補正１４】
【補正対象書類名】明細書
【補正対象項目名】００４６
【補正方法】変更
【補正の内容】
【００４６】
第11の態様によれば、変調・コーディングスキーム（MCS）を送信するための方法であって、方法は、ネットワークデバイスにより、データを送信するためにネットワークデバイスにより使用される又はデータを送信するために端末デバイスにより使用される必要がある変調次数、コードレート、又は、スペクトル効率を決定するステップと、ネットワークデバイスにより、決定された変調次数、コードレート、又は、スペクトル効率に基づいて事前に記憶されたマッピング表から目標MCSのインデックスを選択するステップであって、マッピング表が、MCSインデックスと変調次数、コードレート、又は、スペクトル効率との間のマッピング関係を含む、ステップと、ネットワークデバイスにより、指示情報を端末デバイスに送信するステップであって、指示情報が目標MCSのインデックスを示すために使用される、ステップとを含む。
【手続補正１５】
【補正対象書類名】明細書
【補正対象項目名】００４８
【補正方法】変更
【補正の内容】
【００４８】
第12の態様によれば、変調・コーディングスキーム（MCS）を送信するための端末デバイスが提供され、この場合、端末デバイスは、変調次数、コードレート、又は、スペクトル効率を取得するように構成される処理ユニットであって、処理ユニットが、取得された変調次数、コードレート、又は、スペクトル効率に基づき、事前に記憶されたマッピング表から基準MCSのインデックスを選択するようにさらに構成され、マッピング表が、MCSインデックスと変調次数、コードレート、又は、スペクトル効率との間のマッピング関係を含む、処理ユニットと、基準MCSのインデックスをネットワークデバイスに報告するように構成されるトランシーバユニットとを含む。
【手続補正１６】
【補正対象書類名】明細書
【補正対象項目名】００４９
【補正方法】変更
【補正の内容】
【００４９】
第13の態様によれば、変調・コーディングスキーム（MCS）を受信するための端末デバイスが提供され、この場合、端末デバイスは、ネットワークデバイスから指示情報を受信するように構成されるトランシーバユニットであって、指示情報が目標MCSのインデックスを示すために使用される、トランシーバユニットと、目標MCSのインデックスに基づくマッピング表から、目標MCSに対応する変調次数、コードレート、又は、スペクトル効率を決定するように構成される処理ユニットであって、マッピング表が、MCSインデックスと変調次数、コードレート、又は、スペクトル効率との間のマッピング関係を含む、処理ユニットと、を含み、処理ユニットは、決定された変調次数、コードレート、又は、スペクトル効率に基づいてアップリンク又はダウンリンクデータを処理するようにさらに構成される。
【手続補正１７】
【補正対象書類名】明細書
【補正対象項目名】００５０
【補正方法】変更
【補正の内容】
【００５０】
第14の態様によれば、変調・コーディングスキーム（MCS）を送信するためのネットワークデバイスが提供され、この場合、ネットワークデバイスは、
データを送信するためにネットワークデバイスにより使用される又はデータを送信するために端末デバイスにより使用される必要がある変調次数、コードレート、又は、スペクトル効率を決定するように構成される処理ユニットであって、処理ユニットが、決定された変調次数、コードレート、又は、スペクトル効率に基づいて事前に記憶されたマッピング表から目標MCSのインデックスを選択するようにさらに構成され、マッピング表が、MCSインデックスと変調次数、コードレート、又は、スペクトル効率との間のマッピング関係を含む、処理ユニットと、指示情報を端末デバイスに送信するように構成されるトランシーバユニットであって、指示情報が目標MCSのインデックスを示すために使用される、トランシーバユニットとを含む。
【手続補正１８】
【補正対象書類名】明細書
【補正対象項目名】００５１
【補正方法】削除
【補正の内容】
【手続補正１９】
【補正対象書類名】明細書
【補正対象項目名】００５２
【補正方法】削除
【補正の内容】
【手続補正２０】
【補正対象書類名】明細書
【補正対象項目名】００５４
【補正方法】変更
【補正の内容】
【００５４】
第9の態様〜第14の態様のいずれか1つに関連して、想定し得る設計では、マッピング表中のMCSインデックスが、変調次数2、コードレート30、又は、スペクトル効率0．0586に対応し、実際のコードレートは、マッピング表中のコードレートの値30を1024で除算することによって取得され、又は、
第9の態様〜第14の態様のいずれか1つに関連して、想定し得る設計では、マッピング表中のMCSインデックスが、変調次数2、コードレート50、又は、スペクトル効率0．0977に対応し、実際のコードレートは、マッピング表中のコードレートの値50を1024で除算することによって取得され、又は、
第9の態様〜第14の態様のいずれか1つに関連して、想定し得る設計では、マッピング表中のMCSインデックスが、変調次数2、コードレート40、又は、スペクトル効率0．0781に対応し、実際のコードレートは、マッピング表中のコードレートの値40を1024で除算することによって取得され、又は、
第9の態様〜第14の態様のいずれか1つに関連して、想定し得る設計では、マッピング表中のMCSインデックスが、変調次数2、コードレート64、又は、スペクトル効率0．1250に対応し、実際のコードレートは、マッピング表中のコードレートの値64を1024で除算することによって取得される。
【手続補正２１】
【補正対象書類名】明細書
【補正対象項目名】００５５
【補正方法】変更
【補正の内容】
【００５５】
第9の態様〜第14の態様のいずれか1つに関連して、想定し得る設計では、方法又はデバイスが超信頼度・低遅延通信URLLCに適用される。
【手続補正２２】
【補正対象書類名】明細書
【補正対象項目名】００５６
【補正方法】変更
【補正の内容】
【００５６】
第9の態様〜第14の態様のいずれか1つに関連して、想定し得る設計では、マッピング表が、MCSインデックスとコーディングスキームとの間のマッピング関係をさらに記録する。
【手続補正２３】
【補正対象書類名】明細書
【補正対象項目名】００５７
【補正方法】変更
【補正の内容】
【００５７】
第15の態様によれば、この出願はデータ送信装置を提供する。装置は、第1の態様及び第1の態様の任意の想定し得る実施における方法を実施する機能を有する。機能は、ハードウェアを用いて実装されてもよく、或いは、ハードウェアにより対応するソフトウェアを実行することによって実装されてもよい。ハードウェア又はソフトウェアは、前述の機能に対応する1つ以上のユニットを含む。
【手続補正２４】
【補正対象書類名】明細書
【補正対象項目名】００５８
【補正方法】変更
【補正の内容】
【００５８】
第16の態様によれば、この出願はデータ送信装置を提供する。装置は、第2の態様及び第2の態様の任意の想定し得る実施における方法を実施する機能を有する。機能は、ハードウェアを用いて実装されてもよく、或いは、ハードウェアにより対応するソフトウェアを実行することによって実装されてもよい。ハードウェア又はソフトウェアは、前述の機能に対応する1つ以上のユニットを含む。
【手続補正２５】
【補正対象書類名】明細書
【補正対象項目名】００５９
【補正方法】変更
【補正の内容】
【００５９】
第17の態様によれば、この出願はデータ送信装置を提供する。装置は、第3の態様、第4の態様、第5の態様、第9の態様、第10の態様、第11の態様、及び、それらの任意の想定し得る実施における方法を実施する機能を有する。機能は、ハードウェアを用いて実装されてもよく、或いは、ハードウェアにより対応するソフトウェアを実行することによって実装されてもよい。ハードウェア又はソフトウェアは、前述の機能に対応する1つ以上のユニットを含む。
【手続補正２６】
【補正対象書類名】明細書
【補正対象項目名】００６０
【補正方法】変更
【補正の内容】
【００６０】
第18の態様によれば、この出願はコンピュータ可読記憶媒体を提供する。コンピュータ可読記憶媒体はコンピュータ命令を記憶し、コンピュータ命令がコンピュータ上で実行されるときに、コンピュータは、第1の態様又は第1の態様の任意の想定し得る実施における方法を実行する。
【手続補正２７】
【補正対象書類名】明細書
【補正対象項目名】００６１
【補正方法】変更
【補正の内容】
【００６１】
第19の態様によれば、この出願はコンピュータ可読記憶媒体を提供する。コンピュータ可読記憶媒体はコンピュータ命令を記憶し、コンピュータ命令がコンピュータ上で実行されるときに、コンピュータは、第2の態様又は第2の態様の任意の想定し得る実施における方法を実行する。
【手続補正２８】
【補正対象書類名】明細書
【補正対象項目名】００６５
【補正方法】変更
【補正の内容】
【００６５】
第23の態様によれば、この出願は、メモリ及びプロセッサを含む通信デバイスを提供する。メモリはコンピュータプログラムを記憶するように構成され、また、プロセッサは、メモリからコンピュータプログラムを呼び出してコンピュータプログラムを実行するように構成され、それにより、通信デバイスは、第3の態様、第4の態様、第5の態様、第9の態様、第10の態様、第11の態様、又は、それらの任意の想定し得る実施における方法を実行する。
【手続補正２９】
【補正対象書類名】明細書
【補正対象項目名】００６６
【補正方法】変更
【補正の内容】
【００６６】
第24の態様によれば、この出願は、メモリ及びプロセッサを含むチップ（又はチップシステム）を提供する。メモリはコンピュータプログラムを記憶するように構成され、また、プロセッサは、メモリからコンピュータプログラムを呼び出してコンピュータプログラムを実行するように構成され、それにより、チップが組み込まれる通信デバイスは、第3の態様、第4の態様、第5の態様、第9の態様、第10の態様、第11の態様、又は、それらの任意の想定し得る実施における方法を実行する。
【手続補正３０】
【補正対象書類名】明細書
【補正対象項目名】００６７
【補正方法】変更
【補正の内容】
【００６７】
第25の態様によれば、この出願はコンピュータプログラムプロダクトを提供する。コンピュータプログラムプロダクトはコンピュータプログラムコードを含む。コンピュータプログラムコードがコンピュータ上で実行されるときに、コンピュータは、第1の態様及び第1の態様の任意の想定し得る実施における方法を実行する。
【手続補正３１】
【補正対象書類名】明細書
【補正対象項目名】００６８
【補正方法】変更
【補正の内容】
【００６８】
第26の態様によれば、この出願はコンピュータプログラムプロダクトを提供する。コンピュータプログラムプロダクトはコンピュータプログラムコードを含む。コンピュータプログラムコードがコンピュータ上で実行されるときに、コンピュータは、第2の態様又は第2の態様の任意の想定し得る実施における方法を実行する。
【手続補正３２】
【補正対象書類名】明細書
【補正対象項目名】００６９
【補正方法】変更
【補正の内容】
【００６９】
第27の態様によれば、この出願はコンピュータプログラムプロダクトを提供する。コンピュータプログラムプロダクトはコンピュータプログラムコードを含む。コンピュータプログラムコードがコンピュータ上で実行されるときに、コンピュータは、第3の態様、第4の態様、第5の態様、第9の態様、第10の態様、第11の態様、又は、それらの任意の想定し得る実施における方法を実行する。
【手続補正３３】
【補正対象書類名】明細書
【補正対象項目名】００７４
【補正方法】変更
【補正の内容】
【００７４】
端末デバイスは、通信機能を有するデバイスであり、ハンドヘルドデバイス、車載デバイス、ウェアラブルデバイス、コンピュータデバイス、無線通信機能を有する無線モデムに接続される他の処理デバイス等を含んでもよい。端末デバイスは、屋内又は屋外のデバイス及びハンドヘルドデバイス又は車載デバイスを含めて、陸上に配置されてもよく、又は、水上（例えば、船上）に配置されてもよく、又は、空中（例えば、飛行機、気球、又は、衛星）に配置されてもよい。端末デバイスは、携帯電話（mobile phone）、タブレットコンピュータ（Pad）、無線送信／受信機能を伴うコンピュータ、仮想現実（Virtual Reality，VR）端末デバイス、拡張現実（Augmented Reality，AR）端末デバイス、工業制御（industrial control）における無線端末デバイス、自動運転（self driving）における無線端末デバイス、遠隔医療（telemedicine）における無線端末デバイス、スマートグリッド（smart grid）における無線端末デバイス、交通安全（transportation safety）における無線端末デバイス、スマートシティ（smart city）における無線端末デバイス、スマートホーム（smart home）における無線端末デバイスなどであってもよい。端末デバイスは、異なるネットワークでは、異なる名前、例えば、ユーザ機器、移動局、加入者ユニット、ステーション、携帯電話、携帯情報端末、無線モデム、無線通信デバイス、ハンドヘルドデバイス、ラップトップコンピュータ、コードレスフォン、及び、無線ローカルループステーションを有してもよい。説明を簡単にするために、これらのデバイスは、この出願では単に端末デバイスと称される。
【手続補正３４】
【補正対象書類名】明細書
【補正対象項目名】００７６
【補正方法】変更
【補正の内容】
【００７６】
この出願の実施形態における無線通信システムは、狭帯域インターネットオブシングス（Narrow Band−Internet of Things，NB−IoT）システム、モバイル通信用グローバルシステム（Global System for Mobile Communications，GSM）、GSMエボリューションのための拡張データレート（Enhanced Data rate for GSM Evolution，EDGE）システム、広帯域コード分割多重アクセス（Wideband Code Division Multiple Access，WCDMA(登録商標)）システム、コード分割多重アクセス2000（Code Division Multiple Access，CDMA2000）システム、時分割同期コード分割多重アクセス（Time Division−Synchronization Code Division Multiple Access、TD−SCDMA）システム、ロング・ターム・エボリューション（Long Term Evolution、LTE）システム、次世代5Gモバイル通信システムの3つの主要な用途シナリオ、すなわち、拡張モバイルブロードバンド（Enhanced Mobile Broadband，eMBB）、超信頼度・低遅延通信（Ultra Reliable and Low Latency Communications，URLLC）、大規模マシンタイプ通信（Massive Machine Type Communication，mMTC）、又は、将来の新しい通信システムを含むが、これらに限定されない。
【手続補正３５】
【補正対象書類名】明細書
【補正対象項目名】００８１
【補正方法】変更
【補正の内容】
【００８１】
この出願の実施形態における技術的な解決策は、データ送信の信頼性を向上させるために、端末デバイスがチャネル品質指標（CQI）をネットワークデバイスに報告するシナリオに適用可能である。以下は、この出願の実施形態におけるデータ送信方法のプロセスを説明するために一例として5Gにおける新規無線（new radio，NR）技術でのURLLCシナリオを使用する。
【手続補正３６】
【補正対象書類名】明細書
【補正対象項目名】００８３
【補正方法】変更
【補正の内容】
【００８３】
210．端末デバイスは、変調次数、コードレート、又は、スペクトル効率を取得し、取得された変調次数、コードレート、又は、スペクトル効率に基づいて、事前に記憶されたマッピング表から基準CQIのインデックスを選択する。
【手続補正３７】
【補正対象書類名】明細書
【補正対象項目名】０５９９
【補正方法】変更
【補正の内容】
【０５９９】
先に示されたマッピング表中のCQIインデックスとスペクトル効率、コードレート、又は、コーディングスキームとの間の任意のマッピング関係は、先の表に示される全てのマッピング関係を満たしてもよく、或いは、表中の幾つかのマッピング関係のみを満たしてもよい。例えば、マッピング表の最初の列中のCQIインデックスと他の列中のパラメータとの間のマッピング関係は、行中に示されるマッピング関係又は幾つかの行中のマッピング関係のみを満たしてもよく、或いは、表全体における各行中に示されるマッピング関係を満たしてもよい。他の例の場合、上記の表の行から、CQIインデックスと行中の1つの列又は幾つかの列のみとの間のマッピング関係が表に示されてもよい。これは、この出願のこの実施形態では限定されない。
【手続補正３８】
【補正対象書類名】明細書
【補正対象項目名】０６０４
【補正方法】変更
【補正の内容】
【０６０４】
処理ユニット310は、変調次数、コードレート、又は、スペクトル効率を取得して、取得された変調次数、コードレート、又は、スペクトル効率に基づいて、事前に記憶されたマッピング表から基準チャネル品質指標（CQI）のインデックスを選択するように構成され、この場合、マッピング表は、CQIインデックスと変調次数、コードレート、又は、スペクトル効率との間のマッピング関係を含む。
【手続補正３９】
【補正対象書類名】明細書
【補正対象項目名】０６０６
【補正方法】変更
【補正の内容】
【０６０６】
トランシーバユニット320は、ネットワークデバイスから第2の指示情報を受信するようにさらに構成され、この場合、第2の指示情報は、目標チャネル品質指標（CQI）のインデックスを示すために使用される。
【手続補正４０】
【補正対象書類名】明細書
【補正対象項目名】０６１３
【補正方法】変更
【補正の内容】
【０６１３】
この出願は、メモリとプロセッサとを含むチップ（又はチップシステム）をさらに提供する。メモリはコンピュータプログラムを記憶するように構成され、また、プロセッサは、メモリからコンピュータプログラムを呼び出してコンピュータプログラムを実行するように構成され、それにより、チップが組み込まれる通信デバイスは、データ送信方法において端末デバイスによって実行される対応する動作及び／又は手順を実行する。メモリ及びプロセッサは、バスを使用することによって結合されてもよく、又は、互いに一体化されてもよい。
【手続補正４１】
【補正対象書類名】明細書
【補正対象項目名】０６２１
【補正方法】変更
【補正の内容】
【０６２１】
なお、図5に示される装置500は、図6に示されるネットワークデバイス600によって実装されてもよい。例えば、処理ユニット510は、プロセッサ601によって実装されてもよい。トランシーバユニット520は、トランシーバ603によって実装されてもよい。
【手続補正４２】
【補正対象書類名】明細書
【補正対象項目名】０６２４
【補正方法】変更
【補正の内容】
【０６２４】
この出願は、メモリとプロセッサとを含むチップ（又はチップシステム）をさらに提供する。メモリはコンピュータプログラムを記憶するように構成され、また、プロセッサは、メモリからコンピュータプログラムを呼び出してコンピュータプログラムを実行するように構成され、それにより、チップが組み込まれる通信デバイスは、データ送信方法においてネットワークデバイスによって実行される対応する動作及び／又は手順を実行する。メモリ及びプロセッサは、バスを使用することによって結合されてもよく、又は、互いに一体化されてもよい。
【手続補正４３】
【補正対象書類名】図面
【補正対象項目名】図２
【補正方法】変更
【補正の内容】
【図２】
2021510988.tif 000259
【国際調査報告】
2021510988.tif 000260
2021510988.tif 000261
2021510988.tif 000262
2021510988.tif 000263